(57)【要約】  マルチチャンネルオーディオ信号のエンコーディング／デコーディングシステム、記録媒体及び方法は、所定数（Ｎ）のオーディオチャンネル信号と、チャンネル間の大小差及びチャンネル間の類似度情報を含む空間情報とを含んでいるビットストリームに対して、ビットストリームを所定数（Ｌ≧Ｎ）のオーディオチャンネル信号にデコーディングして出力させるデコーディングレベル情報を生成するデコーディングレベル生成部と、ビットストリームをデコーディングレベルに相応するようにデコーディングして、所定数（Ｌ≧Ｎ）のオーディオチャンネル信号を出力するオーディオデコーダと、を備える。本発明によれば、１つの入力ビットストリームでも多様なスピーカー構成に適応的にオーディオチャンネル信号を出力できる。また、入力ビットストリームに対して全体的に完全にデコーディングするものではなく、部分的なデコーディングをすることで、スケーラブルチャンネルデコーディングが可能である。これは、デコーダでデコーディングレベルを設定することによって、前記デコーディングレベルに相応するオーディオチャンネルを出力可能にする。これにより、デコーディングの複雑度を低減できる。
2009516861.tif 000002
【特許請求の範囲】
【請求項１】
所定数（Ｎ）のオーディオチャンネル信号と、チャンネル間の大小差及びチャンネル間の類似度情報を含む空間情報とを含んでいるビットストリームに対して、前記ビットストリームを所定数（Ｌ≧Ｎ）のオーディオチャンネル信号にデコーディングして出力させるデコーディングレベル情報を生成するデコーディングレベル生成部と、
前記ビットストリームを前記デコーディングレベルに相応するようにデコーディングして、所定数（Ｌ≧Ｎ）のオーディオチャンネル信号を出力するオーディオデコーダと、を備えることを特徴とするマルチチャンネルオーディオ信号デコーディングシステム。
【請求項２】
所定数（Ｎ）のオーディオチャンネル信号と、チャンネル間の大小差及びチャンネル間の類似度情報を含む空間情報とを含んでいるビットストリームに対して、前記ビットストリームを所定数（Ｌ≧Ｎ）のオーディオチャンネル信号にデコーディングして出力させるデコーディングレベル情報を入力されるステップと、
前記ビットストリームを前記デコーディングレベル情報によってデコーディングして、所定数（Ｌ≧Ｎ）のオーディオチャンネル信号を出力するステップと、を含むことを特徴とするマルチチャンネルオーディオ信号デコーディング方法。
【請求項３】
１つのオーディオチャンネル信号と、チャンネル間の大小差及びチャンネル間の類似度情報を含む空間情報とを含んでいるビットストリームに対して、前記ビットストリームをデコーディングして、前記１つのオーディオチャンネルデータを２つのオーディオチャンネルデータに出力する第１  ＯＴＴデコーダと、
前記第１  ＯＴＴデコーダでデコーディングされた２つのオーディオチャンネルデータを３つのオーディオチャンネルデータにデコーディングするＴＴＴデコーダと、
前記ＴＴＴデコーダでデコーディングされた３つのチャンネルデータを第１チャンネルデータ、第２チャンネルデータ及び第３チャンネルデータとする時、前記第１チャンネルデータを２つのチャンネルデータにデコーディングする第２  ＯＴＴデコーダと、
前記第２チャンネルデータを２つのチャンネルデータにデコーディングする第３  ＯＴＴデコーダと、
前記第３チャンネルデータを２つのチャンネルデータにデコーディングする第４  ＯＴＴデコーダと、を備えることを特徴とするマルチチャンネルオーディオ信号デコーディングシステム。
【請求項４】
前記第１  ＯＴＴデコーダでデコーディングされた２つのチャンネルはステレオオーディオチャンネルであり、
前記ＴＴＴデコーダでデコーディングされた３つのチャンネルは、左側（Ｌ’）オーディオチャンネル、右側（Ｒ’）オーディオチャンネル及びセンター（Ｃ’）オーディオチャンネルであり、
前記第２  ＯＴＴデコーダでデコーディングされた２つのチャンネルは、前方左側（ＬＦ）オーディオチャンネル、サラウンド左側（ＬＳ）オーディオチャンネルであり、
前記第３  ＯＴＴデコーダでデコーディングされた２つのチャンネルは、前方右側（ＲＦ）オーディオチャンネル、サラウンド右側（ＲＳ）オーディオチャンネルであり、
前記第４  ＯＴＴデコーダでデコーディングされた２つのチャンネルは、センター（Ｃ）オーディオチャンネル、ウーハー（ＬＦＥ）オーディオチャンネルであることを特徴とする請求項３に記載のマルチチャンネルオーディオ信号デコーディングシステム。
【請求項５】
前記マルチチャンネルオーディオ信号デコーディングシステムは、
少なくとも前記第１  ＯＴＴデコーダ及び前記ＴＴＴデコーダのデコーディングレベルに基づいて前記ビットストリームをデコーディングすることを特徴とする請求項３に記載のマルチチャンネルオーディオ信号デコーディングシステム。
【請求項６】
前記ビットストリームをデコーディングして、所定数のオーディオチャンネル信号を出力させるデコーディングレベル情報を生成するデコーディングレベル生成部をさらに備えることを特徴とする請求項５に記載のマルチチャンネルオーディオ信号デコーディングシステム。
【請求項７】
前記デコーディングレベル情報は、
１つのオーディオチャンネル信号を含んでいるビットストリームをデコーディングして１つのオーディオチャンネル信号を出力させる第１デコーディングレベル情報と、
前記１つのオーディオチャンネル信号を含んでいるビットストリームをデコーディングして２つのオーディオチャンネル信号を出力させる第２デコーディングレベル情報と、
前記２つのオーディオチャンネル信号を含んでいるビットストリームをデコーディングして３つのオーディオチャンネル（Ｌ’、Ｒ’、Ｃ’）信号を出力させる第３デコーディングレベル情報と、
前記３つのオーディオチャンネル信号を含んでいるビットストリームをデコーディングして、５．１オーディオチャンネル（ＬＦ、ＬＳ、ＲＦ、ＲＳ、Ｃ、ＬＦＥ）信号を出力させる第４デコーディングレベル情報と、を含むことを特徴とする請求項６に記載のマルチチャンネルオーディオ信号デコーディングシステム。
【請求項８】
１つのオーディオチャンネル信号と、チャンネル間の大小差及びチャンネル間の類似度情報を含む空間情報とを含んでいるビットストリームに対して、前記ビットストリームをデコーディングして、前記１つのオーディオチャンネルデータを２つのオーディオチャンネルデータに出力する第１  ＯＴＴステップと、
前記第１  ＯＴＴステップでデコーディングされた２つのオーディオチャンネルデータを３つのオーディオチャンネルデータにデコーディングするＴＴＴステップと、
前記ＴＴＴステップでデコーディングされた３つのチャンネルデータを第１チャンネルデータ、第２チャンネルデータ及び第３チャンネルデータとする時、前記第１チャンネルデータを２つのチャンネルデータにデコーディングする第２  ＯＴＴステップと、
前記第２チャンネルデータを２つのチャンネルデータにデコーディングする第３  ＯＴＴステップと、
前記第３チャンネルデータを２つのチャンネルデータにデコーディングする第４  ＯＴＴステップと、を含むことを特徴とするマルチチャンネルオーディオ信号デコーディング方法。
【請求項９】
前記第１  ＯＴＴステップでデコーディングされた２つのチャンネルはステレオオーディオチャンネルであり、
前記ＴＴＴステップでデコーディングされた３つのチャンネルは、左側（Ｌ’）オーディオチャンネル、右側（Ｒ’）オーディオチャンネル及びセンター（Ｃ’）オーディオチャンネルであり、
前記第２  ＯＴＴステップでデコーディングされた２つのチャンネルは、前方左側（ＬＦ）オーディオチャンネル、サラウンド左側（ＬＳ）オーディオチャンネルであり、
前記第３  ＯＴＴステップでデコーディングされた２つのチャンネルは、前方右側（ＲＦ）オーディオチャンネル、サラウンド右側（ＲＳ）オーディオチャンネルであり、
前記第４  ＯＴＴステップでデコーディングされた２つのチャンネルは、センター（Ｃ）オーディオチャンネル、ウーハー（ＬＦＥ）オーディオチャンネルであることを特徴とする請求項８に記載のマルチチャンネルオーディオ信号デコーディング方法。
【請求項１０】
前記マルチチャンネルオーディオ信号デコーディング方法は、
少なくとも前記第１  ＯＴＴデコーダ及び前記ＴＴＴデコーダのデコーディングレベルに基づいて、前記ビットストリームをデコーディングするステップを含むことを特徴とする請求項８に記載のマルチチャンネルオーディオ信号デコーディング方法。
【請求項１１】
前記ビットストリームをデコーディングして所定数のオーディオチャンネル信号を出力する時、デコーダで生成された所定のデコーディングレベル情報を利用して前記デコーディングレベルに相応するオーディオチャンネル信号を出力することを特徴とする請求項１０に記載のマルチチャンネルオーディオ信号デコーディング方法。
【請求項１２】
前記デコーディングレベル情報は、
１つのオーディオチャンネル信号を含んでいるビットストリームをデコーディングして１つのオーディオチャンネル信号を出力させる第１デコーディングレベル情報と、
１つのオーディオチャンネル信号を含んでいるビットストリームをデコーディングして３つのオーディオチャンネル（Ｌ’、Ｒ’、Ｃ’）信号を出力させる第２デコーディングレベル情報と、
１つのオーディオチャンネル信号を含んでいるビットストリームをデコーディングして、５．１オーディオチャンネル（ＬＦ、ＬＳ、ＲＦ、ＲＳ、Ｃ、ＬＦＥ）信号を出力させる第３デコーディングレベル情報と、を含むことを特徴とする請求項１１に記載のマルチチャンネルオーディオ信号デコーディング方法。
【請求項１３】
２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータを３つのオーディオチャンネルデータに出力するＴＴＴデコーダと、
前記ＴＴＴデコーダでデコーディングされた３つのチャンネルデータを第１チャンネルデータ、第２チャンネルデータ及び第３チャンネルデータとする時、前記第１チャンネルデータを２つのチャンネルデータにデコーディングする第１  ＯＴＴデコーダと、
前記第２チャンネルデータを２つのチャンネルデータにデコーディングする第２  ＯＴＴデコーダと、
前記第３チャンネルデータを２つのチャンネルデータにデコーディングする第３  ＯＴＴデコーダと、
前記第１  ＯＴＴデコーダの出力データのうち、１つのチャンネルを２つのチャンネルデータにデコーディングする第４  ＯＴＴデコーダと、
前記第２  ＯＴＴデコーダの出力データのうち、１つのチャンネルを２つのチャンネルデータにデコーディングする第５  ＯＴＴデコーダと、を備えることを特徴とするマルチチャンネルオーディオ信号デコーディングシステム。
【請求項１４】
前記ＴＴＴデコーダでデコーディングされた３つのチャンネルは、左側（Ｌ’）オーディオチャンネル、右側（Ｒ’）オーディオチャンネル及びセンター（Ｃ’）オーディオチャンネルであり、
前記第１  ＯＴＴデコーダでデコーディングされた２つのチャンネルは、前方左側（ＦＬ’）オーディオチャンネル、後方左側（ＢＬ）オーディオチャンネルであり、
前記第２  ＯＴＴデコーダでデコーディングされた２つのチャンネルは、前方右側（ＦＲ’）オーディオチャンネル、後方右側（ＢＲ）オーディオチャンネルであり、
前記第３  ＯＴＴデコーダでデコーディングされた２つのチャンネルは、センター（Ｃ）オーディオチャンネル、ウーハー（ＬＦＥ）オーディオチャンネルであり、
前記第４  ＯＴＴデコーダでデコーディングされた２つのチャンネルは、前方左側（ＦＬ）オーディオチャンネル及び前方左側センター（ＦＬＣ）オーディオチャンネルであり、
前記第５  ＯＴＴデコーダでデコーディングされた２つのチャンネルは、前方右側（ＦＲ）オーディオチャンネル及び前方右側センター（ＦＲＣ）オーディオチャンネルであることを特徴とする請求項１３に記載のマルチチャンネルオーディオ信号デコーディングシステム。
【請求項１５】
前記マルチチャンネルオーディオ信号デコーディングシステムは、
少なくとも前記ＴＴＴデコーダのデコーディングレベルに基づいて前記ビットストリームをデコーディングし、前記３つのチャンネルをデコーディングすることを特徴とする請求項１３に記載のマルチチャンネルオーディオ信号デコーディングシステム。
【請求項１６】
前記ビットストリームをデコーディングして所定数のオーディオチャンネル信号を出力させるデコーディングレベル情報を生成するデコーディングレベル生成部をさらに備えることを特徴とする請求項１５に記載のマルチチャンネルオーディオ信号デコーディングシステム。
【請求項１７】
前記デコーディングレベル情報は、
２つのオーディオチャンネル信号を含んでいるビットストリームをデコーディングして２つのオーディオチャンネル信号を出力させる第１デコーディングレベル情報と、
前記２つのオーディオチャンネル信号をデコーディングして３つのオーディオチャンネル（Ｌ’、Ｒ’、Ｃ’）信号を出力させる第２デコーディングレベル情報と、
３つのオーディオチャンネル信号を含んでいるビットストリームをデコーディングして、５．１オーディオチャンネル（ＦＬ’、ＢＬ、ＦＲ’、ＢＲ、Ｃ、ＬＦＥ）信号を出力させる第３デコーディングレベル情報と、
前記ＦＬ’チャンネル信号をデコーディングして２つのオーディオチャンネル（ＦＬ、ＦＬＣ）信号を出力させ、前記ＦＲ’チャンネル信号をデコーディングして２つのオーディオチャンネル（ＦＲ、ＦＲＣ）信号を出力させて、結果的に７．１チャンネルを出力させる第４デコーディングレベル情報と、を含むことを特徴とする請求項１６に記載のマルチチャンネルオーディオ信号デコーディングシステム。
【請求項１８】
２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータを３つのオーディオチャンネルデータに出力するＴＴＴステップと、
前記ＴＴＴステップでデコーディングされた３つのチャンネルデータを第１チャンネルデータ、第２チャンネルデータ及び第３チャンネルデータとする時、前記第１チャンネルデータを２つのチャンネルデータにデコーディングする第１  ＯＴＴステップと、
前記第２チャンネルデータを２つのチャンネルデータにデコーディングする第２  ＯＴＴステップと、
前記第３チャンネルデータを２つのチャンネルデータにデコーディングする第３  ＯＴＴステップと、
前記第１  ＯＴＴステップの出力データのうち、１つのチャンネルを２つのチャンネルデータにデコーディングする第４  ＯＴＴステップと、
前記第２  ＯＴＴステップの出力データのうち、１つのチャンネルを２つのチャンネルデータにデコーディングする第５  ＯＴＴステップと、を含むことを特徴とするマルチチャンネルオーディオ信号デコーディング方法。
【請求項１９】
前記ＴＴＴステップでデコーディングされた３つのチャンネルは、左側（Ｌ’）オーディオチャンネル、右側（Ｒ’）オーディオチャンネル及びセンター（Ｃ’）オーディオチャンネルであり、
前記第１  ＯＴＴステップでデコーディングされた２つのチャンネルは、前方左側（ＦＬ’）オーディオチャンネル、後方左側（ＢＬ）オーディオチャンネルであり、
前記第２  ＯＴＴステップでデコーディングされた２つのチャンネルは、前方右側（ＦＲ’）オーディオチャンネル、後方右側（ＢＲ）オーディオチャンネルであり、
前記第３  ＯＴＴステップでデコーディングされた２つのチャンネルは、センター（Ｃ）オーディオチャンネル、ウーハー（ＬＦＥ）オーディオチャンネルであり、
前記第４  ＯＴＴステップでデコーディングされた２つのチャンネルは、前方左側（ＦＬ）オーディオチャンネル及び前方左側センター（ＦＬＣ）オーディオチャンネルであり、
前記第５  ＯＴＴステップでデコーディングされた２つのチャンネルは、前方右側（ＦＲ）オーディオチャンネル及び前方右側センター（ＦＲＣ）オーディオチャンネルであることを特徴とする請求項１８に記載のマルチチャンネルオーディオ信号デコーディング方法。
【請求項２０】
前記マルチチャンネルオーディオ信号デコーディング方法は、
少なくとも前記ＴＴＴデコーダのデコーディングレベルに基づいて前記ビットストリームをデコーディングし、前記３つのチャンネルをデコーディングすることを特徴とする請求項１８に記載のマルチチャンネルオーディオ信号デコーディング方法。
【請求項２１】
前記ビットストリームをデコーディングして所定数のオーディオチャンネル信号を出力する時、デコーダで生成された所定のデコーディングレベル情報を利用して、前記デコーディングレベルに相応するオーディオチャンネル信号を出力することを特徴とする請求項２０に記載のマルチチャンネルオーディオ信号デコーディング方法。
【請求項２２】
前記デコーディングレベル情報は、
２つのオーディオチャンネル信号を含んでいるビットストリームをデコーディングして２つのオーディオチャンネル信号を出力させる第１デコーディングレベル情報と、
前記２つのオーディオチャンネル信号をデコーディングして３つのオーディオチャンネル（Ｌ’、Ｒ’、Ｃ’）信号を出力させる第２デコーディングレベル情報と、
３つのオーディオチャンネル信号を含んでいるビットストリームをデコーディングして、５．１オーディオチャンネル（ＦＬ’、ＢＬ、ＦＲ’、ＢＲ、Ｃ、ＬＦＥ）信号を出力させる第３デコーディングレベル情報と、
前記ＦＬ’チャンネル信号をデコーディングして２つのオーディオチャンネル（ＦＬ、ＦＬＣ）信号を出力させ、前記ＦＲ’チャンネル信号をデコーディングして２つのオーディオチャンネル（ＦＲ、ＦＲＣ）信号を出力させて、結果的に７．１チャンネルを出力させる第４デコーディングレベル情報を含むことを特徴とする含むことを特徴とする請求項２１に記載のマルチチャンネルオーディオ信号デコーディング方法。
【請求項２３】
２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータを３つのオーディオチャンネルデータに出力するＴＴＴデコーダと、
前記ＴＴＴデコーダでデコーディングされた３つのチャンネルデータを、第１チャンネルデータ、第２チャンネルデータ及び第３チャンネルデータとする時、前記第１チャンネルデータを２つのチャンネルデータにデコーディングする第１  ＯＴＴデコーダと、
前記第２チャンネルデータを２つのチャンネルデータにデコーディングする第２  ＯＴＴデコーダと、
前記第３チャンネルデータを２つのチャンネルデータにデコーディングする第３  ＯＴＴデコーダと、
前記第３  ＯＴＴデコーダの出力データのうち、１つのチャンネルを２つのチャンネルデータにデコーディングする第４  ＯＴＴデコーダと、
前記第４  ＯＴＴデコーダの出力データのうち、１つのチャンネルを２つのチャンネルデータにデコーディングする第５  ＯＴＴデコーダと、を備えることを特徴とするマルチチャンネルオーディオ信号デコーディングシステム。
【請求項２４】
前記ＴＴＴデコーダでデコーディングされた３つのチャンネルは、左側（Ｌ’）オーディオチャンネル、右側（Ｒ’）オーディオチャンネル及びセンター（Ｃ’）オーディオチャンネルであり、
前記第１  ＯＴＴデコーダでデコーディングされた２つのチャンネルは、前方左側（ＦＬ）オーディオチャンネル、後方左側（ＢＬ）オーディオチャンネルであり、
前記第２  ＯＴＴデコーダでデコーディングされた２つのチャンネルは、前方右側（ＦＲ）オーディオチャンネル、後方右側（ＢＲ）オーディオチャンネルであり、
前記第３  ＯＴＴデコーダでデコーディングされた２つのチャンネルは、センター（Ｃ”）オーディオチャンネル、ウーハー（ＬＦＥ）オーディオチャンネルであり、
前記第４  ＯＴＴデコーダでデコーディングされた２つのチャンネルは、前方センター（ＦＣ’）オーディオチャンネル及びセンター（Ｃ）オーディオチャンネルであり、
前記第５  ＯＴＴデコーダでデコーディングされた２つのチャンネルは、前方左側センター（ＦＬＣ）オーディオチャンネル及び前方右側センター（ＦＲＣ）オーディオチャンネルであることを特徴とする請求項２３に記載のマルチチャンネルオーディオ信号デコーディングシステム。
【請求項２５】
前記マルチチャンネルオーディオ信号デコーディングシステムは、
少なくとも前記ＴＴＴデコーダのデコーディングレベルに基づいて前記ビットストリームをデコーディングし、前記３つのチャンネルをデコーディングすることを特徴とする請求項２３に記載のマルチチャンネルオーディオ信号デコーディングシステム。
【請求項２６】
前記ビットストリームをデコーディングして、所定数のオーディオチャンネル信号を出力させるデコーディングレベル情報を生成するデコーディングレベル生成部をさらに備えることを特徴とする請求項２５に記載のマルチチャンネルオーディオ信号デコーディングシステム。
【請求項２７】
前記デコーディングレベル情報は、
２つのオーディオチャンネル信号を含んでいるビットストリームをデコーディングして２つのオーディオチャンネル信号を出力させる第１デコーディングレベル情報と、
前記２つのオーディオチャンネル信号をデコーディングして３つのオーディオチャンネル（Ｌ’、Ｒ’、Ｃ’）信号を出力させる第２デコーディングレベル情報と、
３つのオーディオチャンネル信号を含んでいるビットストリームをデコーディングして、５．１オーディオチャンネル（ＦＬ、ＢＬ、ＦＲ、ＢＲ、Ｃ”、ＬＦＥ）信号を出力させる第３デコーディングレベル情報と、
前記ＦＣ’チャンネル信号をデコーディングして２つのオーディオチャンネル（ＦＬＣ、ＦＲＣ）信号を出力させて、結果的に７．１チャンネルを出力させる第４デコーディングレベル情報と、を含むことを特徴とする請求項２６に記載のマルチチャンネルオーディオ信号デコーディングシステム。
【請求項２８】
２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータを３つのオーディオチャンネルデータに出力するＴＴＴステップと、
前記ＴＴＴステップでデコーディングされた３つのチャンネルデータを第１チャンネルデータ、第２チャンネルデータ及び第３チャンネルデータとする時、前記第１チャンネルデータを２つのチャンネルデータにデコーディングする第１  ＯＴＴステップと、
前記第２チャンネルデータを２つのチャンネルデータにデコーディングする第２  ＯＴＴステップと、
前記第３チャンネルデータを２つのチャンネルデータにデコーディングする第３  ＯＴＴステップと、
前記第３  ＯＴＴステップの出力データのうち、１つのチャンネルを２つのチャンネルデータにデコーディングする第４  ＯＴＴステップと、
前記第４  ＯＴＴステップの出力データのうち、１つのチャンネルを２つのチャンネルデータにデコーディングする第５  ＯＴＴステップと、を含むことを特徴とするマルチチャンネルオーディオ信号デコーディング方法。
【請求項２９】
前記ＴＴＴステップでデコーディングされた３つのチャンネルは、左側（Ｌ’）オーディオチャンネル、右側（Ｒ’）オーディオチャンネル及びセンター（Ｃ’）オーディオチャンネルであり、
前記第１  ＯＴＴステップでデコーディングされた２つのチャンネルは、前方左側（ＦＬ）オーディオチャンネル、後方左側（ＢＬ）オーディオチャンネルであり、
前記第２  ＯＴＴステップでデコーディングされた２つのチャンネルは、前方右側（ＦＲ）オーディオチャンネル、後方右側（ＢＲ）オーディオチャンネルであり、
前記第３  ＯＴＴステップでデコーディングされた２つのチャンネルは、センター（Ｃ”）オーディオチャンネル、ウーハー（ＬＦＥ）オーディオチャンネルであり、
前記第４  ＯＴＴステップでデコーディングされた２つのチャンネルは、前方センター（ＦＣ’）オーディオチャンネル及びセンター（Ｃ）オーディオチャンネルであり、
前記第５  ＯＴＴステップでデコーディングされた２つのチャンネルは、前方左側センター（ＦＬＣ）オーディオチャンネル及び前方右側センター（ＦＲＣ）オーディオチャンネルであることを特徴とする請求項２８に記載のマルチチャンネルオーディオ信号デコーディング方法。
【請求項３０】
前記マルチチャンネルオーディオ信号デコーディング方法は、
少なくとも前記ＴＴＴデコーダのデコーディングレベルに基づいて前記ビットストリームをデコーディングし、前記３つのチャンネルをデコーディングすることを特徴とする請求項２８に記載のマルチチャンネルオーディオ信号デコーディング方法。
【請求項３１】
前記ビットストリームをデコーディングして所定数のオーディオチャンネル信号を出力する時、デコーダで生成された所定のデコーディングレベル情報を利用して、前記デコーディングレベルに相応するオーディオチャンネル信号を出力することを特徴とする請求項３０に記載のマルチチャンネルオーディオ信号デコーディング方法。
【請求項３２】
前記デコーディングレベル情報は、
２つのオーディオチャンネル信号を含んでいるビットストリームをデコーディングして２つのオーディオチャンネル信号を出力させる第１デコーディングレベル情報と、
前記２つのオーディオチャンネル信号をデコーディングして３つのオーディオチャンネル（Ｌ’、Ｒ’、Ｃ’）信号を出力させる第２デコーディングレベル情報と、
３つのオーディオチャンネル信号を含んでいるビットストリームをデコーディングして、５．１オーディオチャンネル（ＦＬ、ＢＬ、ＦＲ、ＢＲ、Ｃ”、ＬＦＥ）信号を出力させる第３デコーディングレベル情報と、
前記ＦＣ’チャンネル信号をデコーディングして２つのオーディオチャンネル（ＦＬＣ、ＦＲＣ）信号を出力させて、結果的に７．１チャンネルを出力させる第４デコーディングレベル情報と、を含むことを特徴とする請求項３１に記載のマルチチャンネルオーディオ信号デコーディング方法。
【請求項３３】
２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータのうち、最初のオーディオチャンネルデータを２つのオーディオチャンネルデータに出力する第１  ＯＴＴデコーダと、
前記ビットストリームをデコーディングして、前記２つのオーディオチャンネルデータのうち、２番目のオーディオチャンネルデータを２つのオーディオチャンネルデータに出力する第２  ＯＴＴデコーダと、
前記第１  ＯＴＴデコーダでデコーディングされた２つのチャンネルデータのうち、１つを２つのチャンネルデータにデコーディングする第３  ＯＴＴデコーダと、
前記第２  ＯＴＴデコーダでデコーディングされた２つのチャンネルデータを第１チャンネルデータ及び第２チャンネルデータとする時、前記第１チャンネルデータを２つのチャンネルデータにデコーディングする第４  ＯＴＴデコーダと、
前記第２  ＯＴＴデコーダでデコーディングされた第２チャンネルデータを２つのチャンネルデータにデコーディングする第５  ＯＴＴデコーダと、
前記第１  ＯＴＴデコーダの出力データのうち、他の１つのチャンネルを２つのチャンネルデータにデコーディングする第６  ＯＴＴデコーダと、を備えることを特徴とするマルチチャンネルオーディオ信号デコーディングシステム。
【請求項３４】
前記第１  ＯＴＴデコーダでデコーディングされた２つのチャンネルは、左側（Ｌ’）オーディオチャンネル、センター（Ｃ’）オーディオチャンネルであり、
前記第２  ＯＴＴデコーダでデコーディングされた２つのチャンネルは、右側（Ｒ’）オーディオチャンネル、センター（Ｃ”）オーディオチャンネルであり、
前記第３  ＯＴＴデコーダでデコーディングされた２つのチャンネルは、前方左側（ＦＬ）オーディオチャンネル、後方左側（ＢＬ）オーディオチャンネルであり、
前記第４  ＯＴＴデコーダでデコーディングされた２つのチャンネルは、前方右側（ＦＲ）オーディオチャンネル及び後方右側（ＢＲ）オーディオチャンネルであり、
前記第５  ＯＴＴデコーダでデコーディングされた２つのチャンネルは、センター（Ｃ）オーディオチャンネル及びウーハー（ＬＦＥ）オーディオチャンネルであり、
前記第６  ＯＴＴデコーダでデコーディングされた２つのチャンネルは、前方左側センター（ＦＬＣ）オーディオチャンネル及び前方右側センター（ＦＲＣ）オーディオチャンネルであることを特徴とする請求項３３に記載のマルチチャンネルオーディオ信号デコーディングシステム。
【請求項３５】
前記マルチチャンネルオーディオ信号デコーディングシステムは、
少なくとも第１  ＯＴＴデコーダと第２  ＯＴＴデコーダ、第３  ＯＴＴデコーダ、第４  ＯＴＴデコーダ及び第５  ＯＴＴデコーダのデコーディングレベルに基づいて前記ビットストリームをデコーディングすることを特徴とする請求項３３に記載のマルチチャンネルオーディオ信号デコーディングシステム。
【請求項３６】
前記ビットストリームをデコーディングして、所定数のオーディオチャンネル信号を出力させるデコーディングレベル情報を生成するデコーディングレベル生成部をさらに備えることを特徴とする請求項３５に記載のマルチチャンネルオーディオ信号デコーディングシステム。
【請求項３７】
前記デコーディングレベル情報は、
２つのオーディオチャンネル信号を含んでいるビットストリームをデコーディングして２つのオーディオチャンネル信号を出力させる第１デコーディングレベル情報と、
前記２つのオーディオチャンネル信号をデコーディングして４つのオーディオチャンネル（Ｌ’、Ｃ’、Ｒ’、Ｃ”）信号を出力させる第２デコーディングレベル情報と、
前記Ｌ’オーディオチャンネル信号をデコーディングして２つのオーディオチャンネル（ＦＬ、ＢＬ）信号を出力させ、前記Ｒ’オーディオチャンネル信号をデコーディングして２つのオーディオチャンネル（ＦＲ、ＢＲ）信号を出力させ、前記Ｃ”オーディオチャンネル信号をデコーディングして２つのオーディオチャンネル（Ｃ、ＬＦＥ）信号を出力させる第３デコーディングレベル情報と、
前記Ｃ”チャンネル信号をデコーディングして２つのオーディオチャンネル（ＦＬＣ、ＦＲＣ）信号を出力させる第４デコーディングレベル情報と、を含むことを特徴とする請求項３６に記載のマルチチャンネルオーディオ信号デコーディングシステム。
【請求項３８】
２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータのうち、最初のオーディオチャンネルデータを２つのオーディオチャンネルデータに出力する第１  ＯＴＴステップと、
前記ビットストリームをデコーディングして、前記２つのオーディオチャンネルデータのうち、２番目のオーディオチャンネルデータを２つのオーディオチャンネルデータに出力する第２  ＯＴＴステップと、
前記第１  ＯＴＴステップでデコーディングされた２つのチャンネルデータのうち、１つを２つのチャンネルデータにデコーディングする第３  ＯＴＴステップと、
前記第２  ＯＴＴステップでデコーディングされた２つのチャンネルデータを第１チャンネルデータ及び第２チャンネルデータとする時、前記第１チャンネルデータを２つのチャンネルデータにデコーディングする第４  ＯＴＴステップと、
前記第２  ＯＴＴステップでデコーディングされた第２チャンネルデータを２つのチャンネルデータにデコーディングする第５  ＯＴＴステップと、
前記第１  ＯＴＴステップの出力データのうち、他の１つのチャンネルを２つのチャンネルデータにデコーディングする第６  ＯＴＴステップと、を含むことを特徴とするマルチチャンネルオーディオ信号デコーディング方法。
【請求項３９】
前記第１  ＯＴＴステップでデコーディングされた２つのチャンネルは、左側（Ｌ’）オーディオチャンネル、センター（Ｃ’）オーディオチャンネルであり、
前記第２  ＯＴＴステップでデコーディングされた２つのチャンネルは、右側（Ｒ’）オーディオチャンネル、センター（Ｃ”）オーディオチャンネルであり、
前記第３  ＯＴＴステップでデコーディングされた２つのチャンネルは、前方左側（ＦＬ）オーディオチャンネル、後方左側（ＢＬ）オーディオチャンネルであり、
前記第４  ＯＴＴステップでデコーディングされた２つのチャンネルは、前方右側（ＦＲ）オーディオチャンネル及び後方右側（ＢＲ）オーディオチャンネルであり、
前記第５  ＯＴＴステップでデコーディングされた２つのチャンネルは、センター（Ｃ）オーディオチャンネル及びウーハー（ＬＦＥ）オーディオチャンネルであり、
前記第６  ＯＴＴステップでデコーディングされた２つのチャンネルは、前方左側センター（ＦＬＣ）オーディオチャンネル及び前方右側センター（ＦＲＣ）オーディオチャンネルであることを特徴とする請求項３８に記載のマルチチャンネルオーディオ信号デコーディング方法。
【請求項４０】
前記マルチチャンネルオーディオ信号デコーディング方法は、
少なくとも第１  ＯＴＴステップと第２  ＯＴＴステップ、第３  ＯＴＴステップ、第４  ＯＴＴステップ及び第５  ＯＴＴステップのデコーディングレベルに基づいて前記ビットストリームをデコーディングすることを特徴とする請求項３８に記載のマルチチャンネルオーディオ信号デコーディング方法。
【請求項４１】
前記ビットストリームをデコーディングして所定数のオーディオチャンネル信号を出力する時、デコーダで生成された所定のデコーディングレベル情報を利用して前記デコーディングレベルに相応するオーディオチャンネル信号を出力することを特徴とする請求項４０に記載のマルチチャンネルオーディオ信号デコーディング方法。
【請求項４２】
前記デコーディングレベル情報は、
２つのオーディオチャンネル信号を含んでいるビットストリームをデコーディングして２つのオーディオチャンネル信号を出力させる第１デコーディングレベル情報と、
前記２つのオーディオチャンネル信号をデコーディングして４つのオーディオチャンネル（Ｌ’、Ｃ’、Ｒ’、Ｃ”）信号を出力させる第２デコーディングレベル情報と、
前記Ｌ’オーディオチャンネル信号をデコーディングして２つのオーディオチャンネル（ＦＬ、ＢＬ）信号を出力させ、前記Ｒ’オーディオチャンネル信号をデコーディングして２つのオーディオチャンネル（ＦＲ、ＢＲ）信号を出力させ、前記Ｃ”オーディオチャンネル信号をデコーディングして２つのオーディオチャンネル（Ｃ、ＬＦＥ）信号を出力させる第３デコーディングレベル情報と、
前記Ｃ”チャンネル信号をデコーディングして２つのオーディオチャンネル（ＦＬＣ、ＦＲＣ）信号を出力させる第４デコーディングレベル情報と、を含むことを特徴とする含むことを特徴とする請求項４１に記載のマルチチャンネルオーディオ信号デコーディング方法。
【請求項４３】
ＬＦ、ＬＳオーディオチャンネル信号を利用して、チャンネル間の大小差及びチャンネル間の類似度情報を含む第１  ＯＴＴパラメータ、及び第１  ＯＴＴオーディオ  チャンネル（Ｌ’）信号を生成する第１  ＯＴＴエンコーダと、
ＲＦ、ＲＳオーディオチャンネル信号を利用して、チャンネル間の大小差及びチャンネル間の類似度情報を含む第２  ＯＴＴパラメータ及び第２  ＯＴＴオーディオチャンネル（Ｒ’）信号を生成する第２  ＯＴＴエンコーダと、
Ｃ、ＬＦＥオーディオチャンネル信号を利用して、チャンネル間の大小差及びチャンネル間の類似度情報を含む第３  ＯＴＴパラメータ及び第３  ＯＴＴオーディオチャンネル（Ｃ’）信号を生成する第３  ＯＴＴエンコーダと、
前記第１  ＯＴＴエンコーダ、第２  ＯＴＴエンコーダ及び第３  ＯＴＴエンコーダでエンコーディングされたチャンネル（Ｌ’、Ｒ’、Ｃ’）信号を利用して、チャンネル間の大小差及びチャンネル間の類似度情報を含むＴＴＴパラメータ及びＴＴＴオーディオチャンネル信号を生成するＴＴＴエンコーダと、
前記ＴＴＴエンコーダでエンコーディングされたチャンネル信号を利用して、チャンネル間の大小差及びチャンネル間の類似度情報を含む第４  ＯＴＴパラメータ及び第４  ＯＴＴオーディオ信号を生成する第４  ＯＴＴエンコーダと、
前記第１、第２、第３、第４  ＯＴＴエンコーダ及びＴＴＴエンコーダで生成された各パラメータと前記第４エンコーダでエンコーディングされたオーディオ信号とを圧縮して、ビットストリームとして生成するビットストリーム生成部と、を備えることを特徴とするマルチチャンネルオーディオ信号エンコーディングシステム。
【請求項４４】
ＦＬ、ＦＬＣオーディオチャンネル信号を利用して、チャンネル間の大小差及びチャンネル間の類似度情報を含む第１  ＯＴＴパラメータ及び第１  ＯＴＴオーディオチャンネル（ＦＬ’）信号を生成する第１  ＯＴＴエンコーダと、
ＦＲ、ＦＲＣオーディオチャンネル信号を利用して、チャンネル間の大小差及びチャンネル間の類似度情報を含む第２  ＯＴＴパラメータ及び第２  ＯＴＴオーディオチャンネル（ＦＲ’）信号を生成する第２  ＯＴＴエンコーダと、
前記第１ＯＦＦエンコーダでエンコーディングされたオーディオチャンネル（ＦＬ’）信号とＢＬオーディオチャンネル信号とを利用して、チャンネル間の大小差及びチャンネル間の類似度情報を含む第３  ＯＴＴパラメータ及び第３  ＯＴＴオーディオチャンネル（Ｌ’）信号を生成する第３  ＯＴＴエンコーダと、
前記第２  ＯＴＴエンコーダでエンコーディングされたオーディオチャンネル（ＦＲ’）信号とＢＲオーディオ信号とを利用して、チャンネル間の大小差及びチャンネル間の類似度情報を含む第４  ＯＴＴパラメータ及び第４  ＯＴＴオーディオチャンネル（Ｒ’）信号を生成する第４  ＯＴＴエンコーダと、
Ｃオーディオチャンネル信号とＬＦＥオーディオチャンネル信号とを利用して、チャンネル間の大小差及びチャンネル間の類似度情報を含む第５  ＯＴＴパラメータ及び第５  ＯＴＴオーディオチャンネル（Ｃ’）信号を生成する第５  ＯＴＴエンコーダと、
前記第３  ＯＴＴエンコーダでエンコーディングされたオーディオチャンネル（Ｌ’）信号と、前記第４  ＯＴＴエンコーダでエンコーディングされたオーディオチャンネル（Ｒ’）信号、及び前記第５エンコーダでエンコーディングされたオーディオチャンネル（Ｃ’）信号を利用して、チャンネル間の大小差及びチャンネル間の類似度情報を含むＴＴＴパラメータ及びＴＴＴオーディオチャンネル信号を生成するＴＴＴエンコーダと、
前記第１、第２、第３、第４、第５  ＯＴＴエンコーダ及びＴＴＴエンコーダで生成された各パラメータと前記ＴＴＴエンコーダでエンコーディングされたオーディオ信号とを圧縮して、ビットストリームとして生成するビットストリーム生成部と、を備えることを特徴とするマルチチャンネルオーディオ信号エンコーディングシステム。
【請求項４５】
ＦＬＣ、ＦＲＣオーディオチャンネル信号を利用して、チャンネル間の大小差及びチャンネル間の類似度情報を含む第１  ＯＴＴパラメータ及び第１  ＯＴＴオーディオチャンネル（ＦＣ’）信号を生成する第１  ＯＴＴエンコーダと、
前記第１  ＯＴＴエンコーダでエンコーディングされたオーディオチャンネル（ＦＣ’）信号とＣオーディオチャンネル信号とを利用して、チャンネル間の大小差及びチャンネル間の類似度情報を含む第２  ＯＴＴパラメータ及び第２  ＯＴＴオーディオチャンネル（Ｃ”）信号を生成する第２  ＯＴＴエンコーダと、
ＦＬオーディオチャンネル信号とＢＬオーディオチャンネル信号とを利用して、チャンネル間の大小差及びチャンネル間の類似度情報を含む第３  ＯＴＴパラメータ及び第３  ＯＴＴオーディオチャンネル（Ｌ’）信号を生成する第３  ＯＴＴエンコーダと、
ＦＲオーディオチャンネル信号とＢＲオーディオ信号とを利用して、チャンネル間の大小差及びチャンネル間の類似度情報を含む第４  ＯＴＴパラメータ及び第４  ＯＴＴオーディオチャンネル（Ｒ’）信号を生成する第４  ＯＴＴエンコーダと、
前記第２  ＯＴＴエンコーダでエンコーディングされたオーディオチャンネル（Ｃ”）信号とＬＦＥオーディオチャンネル信号とを利用して、チャンネル間の大小差及びチャンネル間の類似度情報を含む第５  ＯＴＴパラメータ及び第５  ＯＴＴオーディオチャンネル（Ｃ’）信号を生成する第５  ＯＴＴエンコーダと、
前記第３  ＯＴＴエンコーダでエンコーディングされたオーディオチャンネル（Ｌ’）信号と、前記第４  ＯＴＴエンコーダでエンコーディングされたオーディオチャンネル（Ｒ’）信号、及び前記第５エンコーダでエンコーディングされたオーディオチャンネル（Ｃ’）信号を利用して、チャンネル間の大小差及びチャンネル間の類似度情報を含むＴＴＴパラメータ及びＴＴＴオーディオチャンネル信号を生成するＴＴＴエンコーダと、
前記第１、第２、第３、第４、第５  ＯＴＴエンコーダ及びＴＴＴエンコーダで生成された各パラメータと、前記ＴＴＴエンコーダでエンコーディングされたオーディオ信号とを圧縮して、ビットストリームとして生成するビットストリーム生成部と、を備えることを特徴とするマルチチャンネルオーディオ信号エンコーディングシステム。
【請求項４６】
ＦＬＣ、ＦＲＣオーディオチャンネル信号を利用して、チャンネル間の大小差及びチャンネル間の類似度情報を含む第１  ＯＴＴパラメータ及び第１  ＯＴＴオーディオチャンネル（Ｃ’）信号を生成する第１  ＯＴＴエンコーダと、
ＦＬ、ＲＬオーディオチャンネル信号を利用して、チャンネル間の大小差及びチャンネル間の類似度情報を含む第２  ＯＴＴパラメータ及び第２  ＯＴＴオーディオチャンネル（Ｌ’）信号を生成する第２  ＯＴＴエンコーダと、
ＦＲオーディオチャンネル信号とＢＲオーディオチャンネル信号とを利用して、チャンネル間の大小差及びチャンネル間の類似度情報を含む第３  ＯＴＴパラメータ及び第３  ＯＴＴオーディオチャンネル（Ｒ’）信号を生成する第３  ＯＴＴエンコーダと、
Ｃオーディオチャンネル信号とＬＦＥオーディオ信号とを利用して、チャンネル間の大小差及びチャンネル間の類似度情報を含む第４  ＯＴＴパラメータ及び第４  ＯＴＴオーディオチャンネル（Ｃ”）信号を生成する第４  ＯＴＴエンコーダと、
前記第２  ＯＴＴエンコーダでエンコーディングされたオーディオチャンネル（Ｌ’）信号と、前記第１  ＯＴＴエンコーダでエンコーディングされたオーディオチャンネル（Ｃ’）信号とを利用して、チャンネル間の大小差及びチャンネル間の類似度情報を含む第５  ＯＴＴパラメータ及び第５  ＯＴＴオーディオチャンネル信号を生成する第５  ＯＴＴエンコーダと、
前記第３  ＯＴＴエンコーダでエンコーディングされたオーディオチャンネル（Ｒ’）信号と、前記第４  ＯＴＴエンコーダでエンコーディングされたオーディオチャンネル（Ｃ”）信号とを利用して、チャンネル間の大小差及びチャンネル間の類似度情報を含む第６  ＯＴＴパラメータ及び第６
ＯＴＴオーディオチャンネル信号を生成する第６  ＯＴＴエンコーダと、
前記第１、第２、第３、第４、第５、第６  ＯＴＴエンコーダで生成された各パラメータと、前記第５  ＯＴＴエンコーダでエンコーディングされたオーディオ信号、及び第６  ＯＴＴエンコーダでエンコーディングされたオーディオ信号を圧縮して、ビットストリームとして生成するビットストリーム生成部と、を備えることを特徴とするマルチチャンネルオーディオ信号エンコーディングシステム。
【請求項４７】
前方左側（ＬＦ）、サラウンド左側（ＬＳ）オーディオチャンネル信号を利用して、チャンネル間の大小差及びチャンネル間の類似度情報を含む第１  ＯＴＴパラメータ及び第１  ＯＴＴオーディオチャンネル（Ｌ’）信号を生成する第１  ＯＴＴステップと、
前方右側（ＲＦ）、サラウンド右側（ＲＳ）オーディオチャンネル信号を利用して、チャンネル間の大小差及びチャンネル間の類似度情報を含む第２  ＯＴＴパラメータ及び第２  ＯＴＴオーディオチャンネル（Ｒ’）信号を生成する第２  ＯＴＴステップと、
センター（Ｃ）、ウーハー（ＬＦＥ）オーディオチャンネル信号を利用して、チャンネル間の大小差及びチャンネル間の類似度情報を含む第３  ＯＴＴパラメータ及び第３  ＯＴＴオーディオチャンネル（Ｃ’）信号を生成する第３  ＯＴＴステップと、
前記第１  ＯＴＴステップ、第２  ＯＴＴステップ及び第３  ＯＴＴステップでエンコーディングされたチャンネル（Ｌ’、Ｒ’、Ｃ’）信号を利用して、チャンネル間の大小差及びチャンネル間の類似度情報を含むＴＴＴパラメータ及びＴＴＴオーディオチャンネル信号を生成するＴＴＴステップと、
前記ＴＴＴステップでエンコーディングされたチャンネル信号を利用して、チャンネル間の大小差及びチャンネル間の類似度情報を含む第４  ＯＴＴパラメータ及び第４  ＯＴＴオーディオ信号を生成する第４  ＯＴＴステップと、
前記第１、第２、第３、第４  ＯＴＴステップ及び前記ＴＴＴステップで生成された各パラメータと、前記第４  ＯＴＴステップでエンコーディングされたモノオーディオ信号とを圧縮して、ビットストリームとして生成するステップと、を含むことを特徴とするマルチチャンネルオーディオ信号エンコーディング方法。
【請求項４８】
前方左側（ＦＬ）、前方左側センター（ＦＬＣ）オーディオチャンネル信号を利用して、チャンネル間の大小差及びチャンネル間の類似度情報を含む第１  ＯＴＴパラメータ及び第１  ＯＴＴオーディオチャンネル（ＦＬ’）信号を生成する第１  ＯＴＴステップと、
前方右側（ＦＲ）、前方右側センター（ＦＲＣ）オーディオチャンネル信号を利用して、チャンネル間の大小差及びチャンネル間の類似度情報を含む第２  ＯＴＴパラメータ及び第２  ＯＴＴオーディオチャンネル（ＦＲ’）信号を生成する第２  ＯＴＴステップと、
前記第１  ＯＴＴステップでエンコーディングされたオーディオチャンネル（ＦＬ’）信号と後方左側（ＢＬ）オーディオチャンネル信号とを利用して、チャンネル間の大小差及びチャンネル間の類似度情報を含む第３  ＯＴＴパラメータ及び第３  ＯＴＴオーディオチャンネル（Ｌ’）信号を生成する第３  ＯＴＴステップと、
前記第２  ＯＴＴステップでエンコーディングされたオーディオチャンネル（ＦＲ’）信号と後方右側（ＢＲ）オーディオ信号とを利用して、チャンネル間の大小差及びチャンネル間の類似度情報を含む第４  ＯＴＴパラメータ及び第４  ＯＴＴオーディオチャンネル（Ｒ’）信号を生成する第４  ＯＴＴステップと、
センター（Ｃ）オーディオチャンネル信号とウーハー（ＬＦＥ）オーディオチャンネル信号とを利用して、チャンネル間の大小差及びチャンネル間の類似度情報を含む第５  ＯＴＴパラメータ及び第５  ＯＴＴオーディオチャンネル（Ｃ’）信号を生成する第５  ＯＴＴステップと、
前記第３  ＯＴＴステップでエンコーディングされたオーディオチャンネル（Ｌ’）信号と、前記第４  ＯＴＴステップでエンコーディングされたオーディオチャンネル（Ｒ’）信号、及び前記第５ステップでエンコーディングされたオーディオチャンネル（Ｃ’）信号を利用して、チャンネル間の大小差及びチャンネル間の類似度情報を含むＴＴＴパラメータ及びＴＴＴ（ステレオ）オーディオチャンネル信号を生成するＴＴＴステップと、
前記第１、第２、第３、第４、第５  ＯＴＴステップ及びＴＴＴステップで生成された各パラメータと、前記ＴＴＴステップでエンコーディングされたステレオオーディオ信号とを圧縮して、ビットストリームとして生成するステップと、を含むことを特徴とするマルチチャンネルオーディオ信号エンコーディング方法。
【請求項４９】
前方左側センター（ＦＬＣ）、前方右側センター（ＦＲＣ）オーディオチャンネル信号を利用して、チャンネル間の大小差及びチャンネル間の類似度情報を含む第１  ＯＴＴパラメータ及び第１  ＯＴＴオーディオチャンネル（ＦＣ’）信号を生成する第１  ＯＴＴステップと、
前記第１  ＯＴＴステップでエンコーディングされたオーディオチャンネル（ＦＣ’）信号とセンター（Ｃ）オーディオチャンネル信号とを利用して、チャンネル間の大小差及びチャンネル間の類似度情報を含む第２  ＯＴＴパラメータ及び第２  ＯＴＴオーディオチャンネル（Ｃ”）信号を生成する第２  ＯＴＴステップと、
前方左側（ＦＬ）オーディオチャンネル信号と後方左側（ＢＬ）オーディオチャンネル信号とを利用して、チャンネル間の大小差及びチャンネル間の類似度情報を含む第３  ＯＴＴパラメータ及び第３  ＯＴＴオーディオチャンネル（Ｌ’）信号を生成する第３  ＯＴＴステップと、
前方右側（ＦＲ）オーディオチャンネル信号と後方右側（ＢＲ）オーディオ信号とを利用して、チャンネル間の大小差及びチャンネル間の類似度情報を含む第４  ＯＴＴパラメータ及び第４  ＯＴＴオーディオチャンネル（Ｒ’）信号を生成する第４  ＯＴＴステップと、
前記第２  ＯＴＴステップでエンコーディングされたオーディオチャンネル（Ｃ”）信号とウーハー（ＬＦＥ）オーディオチャンネル信号とを利用して、チャンネル間の大小差及びチャンネル間の類似度情報を含む第５  ＯＴＴパラメータ及び第５  ＯＴＴオーディオチャンネル（Ｃ’）信号を生成する第５  ＯＴＴステップと、
前記第３  ＯＴＴステップでエンコーディングされたオーディオチャンネル（Ｌ’）信号と、前記第４  ＯＴＴステップでエンコーディングされたオーディオチャンネル（Ｒ’）信号、及び前記第５  ＯＴＴステップでエンコーディングされたオーディオチャンネル（Ｃ’）信号を利用して、チャンネル間の大小差及びチャンネル間の類似度情報を含むＴＴＴパラメータ及びＴＴＴ（ステレオ）オーディオチャンネル信号を生成するＴＴＴステップと、
前記第１、第２、第３、第４、第５  ＯＴＴステップ及びＴＴＴステップで生成された各パラメータと、前記ＴＴＴステップでエンコーディングされたステレオオーディオ信号とを圧縮して、ビットストリームとして生成するステップと、を含むことを特徴とするマルチチャンネルオーディオ信号エンコーディング方法。
【請求項５０】
前方左側センター（ＦＬＣ）、前方右側センター（ＦＲＣ）オーディオチャンネル信号を利用して、チャンネル間の大小差及びチャンネル間の類似度情報を含む第１  ＯＴＴパラメータ及び第１  ＯＴＴオーディオチャンネル（Ｃ’）信号を生成する第１  ＯＴＴステップと、
前方左側（ＦＬ）、後方左側（ＢＬ）オーディオチャンネル信号を利用して、チャンネル間の大小差及びチャンネル間の類似度情報を含む第２  ＯＴＴパラメータ及び第２  ＯＴＴオーディオチャンネル（Ｌ’）信号を生成する第２  ＯＴＴステップと、
ＦＲオーディオチャンネル信号と後方右側（ＢＲ）オーディオチャンネル信号とを利用して、チャンネル間の大小差及びチャンネル間の類似度情報を含む第３  ＯＴＴパラメータ及び第３  ＯＴＴオーディオチャンネル（Ｒ’）信号を生成する第３  ＯＴＴステップと、
センター（Ｃ）オーディオチャンネル信号とウーハー（ＬＦＥ）オーディオ信号とを利用して、チャンネル間の大小差及びチャンネル間の類似度情報を含む第４  ＯＴＴパラメータ及び第４  ＯＴＴオーディオチャンネル（Ｃ”）信号を生成する第４  ＯＴＴステップと、
前記第２  ＯＴＴステップでエンコーディングされたオーディオチャンネル（Ｌ’）信号と、前記第１  ＯＴＴステップでエンコーディングされたオーディオチャンネル（Ｃ’）信号とを利用して、チャンネル間の大小差及びチャンネル間の類似度情報を含む第５  ＯＴＴパラメータ及び第５  ＯＴＴオーディオチャンネル信号を生成する第５  ＯＴＴステップと、
前記第３  ＯＴＴステップでエンコーディングされたオーディオチャンネル（Ｒ’）信号と、前記第４  ＯＴＴステップでエンコーディングされたオーディオチャンネル（Ｃ”）信号とを利用して、チャンネル間の大小差及びチャンネル間の類似度情報を含む第６  ＯＴＴパラメータ及び第６  ＯＴＴオーディオチャンネル信号を生成する第６  ＯＴＴステップと、
前記第１、第２、第３、第４、第５、第６  ＯＴＴステップで生成された各パラメータと、前記第５  ＯＴＴステップでエンコーディングされたオーディオ信号及び第６  ＯＴＴステップでエンコーディングされたステレオオーディオ信号とを圧縮して、ビットストリームとして生成するステップと、を含むことを特徴とするマルチチャンネルオーディオ信号エンコーディング方法。
【請求項５１】
請求項２に記載の方法を実行させるためのプログラムを記録したコンピュータで読み取り可能な記録媒体。
【請求項５２】
請求項８に記載の方法を実行させるためのプログラムを記録したコンピュータで読み取り可能な記録媒体。
【請求項５３】
請求項１８に記載の方法を実行させるためのプログラムを記録したコンピュータで読み取り可能な記録媒体。
【請求項５４】
請求項２８に記載の方法を実行させるためのプログラムを記録したコンピュータで読み取り可能な記録媒体。
【請求項５５】
請求項３８に記載の方法を実行させるためのプログラムを記録したコンピュータで読み取り可能な記録媒体。
【請求項５６】
請求項４７に記載の方法を実行させるためのプログラムを記録したコンピュータで読み取り可能な記録媒体。
【請求項５７】
請求項４８に記載の方法を実行させるためのプログラムを記録したコンピュータで読み取り可能な記録媒体。
【請求項５８】
請求項４９に記載の方法を実行させるためのプログラムを記録したコンピュータで読み取り可能な記録媒体。
【請求項５９】
請求項５０に記載の方法を実行させるためのプログラムを記録したコンピュータで読み取り可能な記録媒体。
【発明の詳細な説明】
【技術分野】
【０００１】
本発明は、オーディオ信号エンコーディング及びデコーディングに係り、特にマルチチャンネルオーディオ信号のエンコーディング／デコーディングシステム、記録媒体及び方法に関する。
【背景技術】
【０００２】
一般的にオーディオコーディングには、ウェーブフォームマルチチャンネルオーディオコーディングとパラメトリックマルチチャンネルオーディオコーディングとがある。前記ウェーブフォームマルチチャンネルオーディオコーディングは、５個のオーディオチャンネル信号を入力として５個のオーディオチャンネル信号に出力し、ＭＰＥＧ−２ＭＣオーディオコーディング、ＡＡＣＭＣオーディオコーディング、ＢＳＡＣ／ＡＶＳＭＣオーディオコーディングがある。前記ＭＰＥＧ−２ＭＣオーディオコーディングは２つのモードで行われ、これは、元来の信号で動作するモード、２つのダウンミックス信号と異なる独立信号で動作するモードがある。そして、前記ＡＡＣＭＣオーディオコーディングは、ＰＣＥまたはデフォルトセッティングを持つ元来の信号で行われる。ＢＳＡＣ／ＡＶＳＭＣオーディオは、ｃｈａｎｎｅｌ＿ｃｏｎｆｉｇｕｒａｔｉｏｎ＿ｉｄｘを持つ元来の信号で行われる。
【０００３】
前記パラメトリックマルチチャンネルオーディオコーディングは、ＭＰＥＧサラウンドコーディングがあり、１または２個の入力チャンネルを５または６個のチャンネルに出力する。これは、ＱＭＦ基盤、逆１入力に対する２出力デコーディングツール（Ｒ−ＯＴＴ）、逆２入力に対する３出力デコーディングツール（Ｒ−ＴＴＴ）、拡張された信号にはＲ−ＯＴＴツリーがある。
【０００４】
図１は、ＭＰＥＧサラウンドデコーダの概観を示すものである。受信端には、スピーカーの多様な構成、すなわち、１、２、３（ｆｒｏｎｔ）／０（ｒｅａｒ）、３／１、３／２、５／２がありうる。したがって、入力オーディオビットストリームをデコーディングして受信端のスピーカー構成に相応するように、適応的にオーディオチャンネル信号を出力可能にする必要がある。
【０００５】
図２は、入力オーディオチャンネル信号をエンコーディングするエンコーディングブロックと、前記エンコーディングされたオーディオチャンネル信号をデコーディングするデコーディングブロックとを図示したものである。ＭＰＥＧサラウンドの場合、Ｍ個の入力オーディオチャンネルエンコーダでエンコーディングされた個のオーディオチャンネル信号として出力される。ここで、ＭはＮより大きい。そして、エンコーダでエンコーディングされたＮ個のオーディオチャンネル信号は、デコーダでデコーディングされてＬ個のオーディオチャンネル信号として出力される。ここで、ＬはＮと同じか、またはＮより大きく、ＭはＬと同じか、またはＬより大きい。
【０００６】
ところが、従来にはＬ個のオーディオチャンネル信号をＭ個の入力オーディオチャンネル信号から直接デコーディングするか、Ｍ個の入力オーディオチャンネル信号をダウンミキシングしてＮ個のチャンネルに作り、これを利用してＬ個のオーディオチャンネル信号にデコーディングした。したがって、受信端で多様な構成を持つスピーカーによって適切なチャンネル数のオーディオ信号をデコーディングできないという不便さがあった。
【発明の開示】
【発明が解決しようとする課題】
【０００７】
本発明の実施形態は、選択的なデコーディングレベルに基づいて受信端でスピーカー構成のタイプによって、入力オーディオチャンネル回路を選択的に適当な数のチャンネルにデコーディングするマルチチャンネルオーディオ信号のエンコーディング／デコーディングシステム、記録媒体及び方法を提供する。
【０００８】
追加的な観点及び／または利点は、後述する発明の詳細な説明の一部で記述され、発明の詳細な説明から明らかになるか、または、本発明の実施で得ることができる。
【課題を解決するための手段】
【０００９】
前記技術的課題を解決するための本発明によるマルチチャンネルオーディオ信号のデコーディングシステムは、所定数（Ｎ）のオーディオチャンネル信号と、チャンネル間の大小差及びチャンネル間の類似度情報を含む空間情報とを含んでいるビットストリームに対して、前記ビットストリームを所定数（Ｌ≧Ｎ）のオーディオチャンネル信号にデコーディングして出力させるデコーディングレベル情報を生成するデコーディングレベル生成部と、前記ビットストリームを前記デコーディングレベルに相応するようにデコーディングして、所定数（Ｌ≧Ｎ）のオーディオチャンネル信号を出力するオーディオデコーダと、を備えることを特徴とする。
【００１０】
前記技術的課題を解決するための本発明によるマルチチャンネルオーディオ信号のデコーディング方法は、所定数（Ｎ）のオーディオチャンネル信号と、チャンネル間の大小差及びチャンネル間の類似度情報を含む空間情報とを含んでいるビットストリームに対して、前記ビットストリームを所定数（Ｌ≧Ｎ）のオーディオチャンネル信号にデコーディングして出力させるデコーディングレベル情報を入力されるステップと、前記ビットストリームを前記デコーディングレベル情報によってデコーディングして、所定数（Ｌ≧Ｎ）のオーディオチャンネル信号を出力するステップと、を含むことを特徴とする。
【００１１】
前記技術的課題を解決するための本発明によるマルチチャンネルオーディオ信号のデコーディング方法は、１つのオーディオチャンネル信号と、チャンネル間の大小差及びチャンネル間の類似度情報を含む空間情報とを含んでいるビットストリームに対して、前記ビットストリームをデコーディングして、前記１つのオーディオチャンネルデータを２つのオーディオチャンネルデータに出力する第１  ＯＴＴデコーダと、前記第１  ＯＴＴデコーダでデコーディングされた２つのオーディオチャンネルデータを３つのオーディオチャンネルデータにデコーディングするＴＴＴデコーダと、前記ＴＴＴデコーダでデコーディングされた３つのチャンネルデータを第１チャンネルデータ、第２チャンネルデータ及び第３チャンネルデータとする時、前記第１チャンネルデータを２つのチャンネルデータにデコーディングする第２  ＯＴＴデコーダと、前記第２チャンネルデータを２つのチャンネルデータにデコーディングする第３  ＯＴＴデコーダと、前記第３チャンネルデータを２つのチャンネルデータにデコーディングする第４  ＯＴＴデコーダと、を備えることを特徴とする。
【００１２】
前記マルチチャンネルオーディオ信号デコーディングシステムは、前記ビットストリームをデコーディングして、所定数のオーディオチャンネル信号を出力させるデコーディングレベル情報を生成するデコーディングレベル生成部をさらに備えることが望ましい。
【００１３】
前記技術的課題を解決するための本発明によるマルチチャンネルオーディオ信号のデコーディング方法は、１つのオーディオチャンネル信号と、チャンネル間の大小差及びチャンネル間の類似度情報を含む空間情報とを含んでいるビットストリームに対して、前記ビットストリームをデコーディングして、前記１つのオーディオチャンネルデータを２つのオーディオチャンネルデータに出力する第１  ＯＴＴステップと、前記第１  ＯＴＴステップでデコーディングされた２つのオーディオチャンネルデータを３つのオーディオチャンネルデータにデコーディングするＴＴＴステップと、前記ＴＴＴステップでデコーディングされた３つのチャンネルデータを第１チャンネルデータ、第２チャンネルデータ及び第３チャンネルデータとする時、前記第１チャンネルデータを２つのチャンネルデータにデコーディングする第２  ＯＴＴステップと、前記第２チャンネルデータを２つのチャンネルデータにデコーディングする第３  ＯＴＴステップと、前記第３チャンネルデータを２つのチャンネルデータにデコーディングする第４  ＯＴＴステップと、を含むことを特徴とする。
【００１４】
前記技術的課題を解決するための本発明によるマルチチャンネルオーディオ信号のデコーディングシステムは、２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータを３つのオーディオチャンネルデータに出力するＴＴＴデコーダと、前記ＴＴＴデコーダでデコーディングされた３つのチャンネルデータを第１チャンネルデータ、第２チャンネルデータ及び第３チャンネルデータとする時、前記第１チャンネルデータを２つのチャンネルデータにデコーディングする第１  ＯＴＴデコーダと、前記第２チャンネルデータを２つのチャンネルデータにデコーディングする第２  ＯＴＴデコーダと、前記第３チャンネルデータを２つのチャンネルデータにデコーディングする第３  ＯＴＴデコーダと、前記第１  ＯＴＴデコーダの出力データのうち、１つのチャンネルを２つのチャンネルデータにデコーディングする第４  ＯＴＴデコーダと、前記第２  ＯＴＴデコーダの出力データのうち、１つのチャンネルを２つのチャンネルデータにデコーディングする第５  ＯＴＴデコーダと、を備えることを特徴とする。
【００１５】
前記技術的課題を解決するための本発明によるマルチチャンネルオーディオ信号のデコーディング方法は、２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータを３つのオーディオチャンネルデータに出力するＴＴＴステップと、前記ＴＴＴステップでデコーディングされた３つのチャンネルデータを第１チャンネルデータ、第２チャンネルデータ及び第３チャンネルデータとする時、前記第１チャンネルデータを２つのチャンネルデータにデコーディングする第１  ＯＴＴステップと、前記第２チャンネルデータを２つのチャンネルデータにデコーディングする第２  ＯＴＴステップと、前記第３チャンネルデータを２つのチャンネルデータにデコーディングする第３  ＯＴＴステップと、前記第１  ＯＴＴステップの出力データのうち、１つのチャンネルを２つのチャンネルデータにデコーディングする第４  ＯＴＴステップと、前記第２  ＯＴＴステップの出力データのうち、１つのチャンネルを２つのチャンネルデータにデコーディングする第５  ＯＴＴステップと、を含むことを特徴とする。
【００１６】
前記技術的課題を解決するための本発明によるマルチチャンネルオーディオ信号のデコーディングシステムは、２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータを３つのオーディオチャンネルデータに出力するＴＴＴデコーダと、前記ＴＴＴデコーダでデコーディングされた３つのチャンネルデータを、第１チャンネルデータ、第２チャンネルデータ及び第３チャンネルデータとする時、前記第１チャンネルデータを２つのチャンネルデータにデコーディングする第１  ＯＴＴデコーダと、前記第２チャンネルデータを２つのチャンネルデータにデコーディングする第２  ＯＴＴデコーダと、前記第３チャンネルデータを２つのチャンネルデータにデコーディングする第３  ＯＴＴデコーダと、前記第３  ＯＴＴデコーダの出力データのうち、１つのチャンネルを２つのチャンネルデータにデコーディングする第４  ＯＴＴデコーダと、前記第４  ＯＴＴデコーダの出力データのうち、１つのチャンネルを２つのチャンネルデータにデコーディングする第５  ＯＴＴデコーダと、を備えることを特徴とする。
【００１７】
前記技術的課題を解決するための本発明によるマルチチャンネルオーディオ信号のデコーディング方法は、２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータを３つのオーディオチャンネルデータに出力するＴＴＴステップと、前記ＴＴＴステップでデコーディングされた３つのチャンネルデータを第１チャンネルデータ、第２チャンネルデータ及び第３チャンネルデータとする時、前記第１チャンネルデータを２つのチャンネルデータにデコーディングする第１  ＯＴＴステップと、前記第２チャンネルデータを２つのチャンネルデータにデコーディングする第２  ＯＴＴステップと、前記第３チャンネルデータを２つのチャンネルデータにデコーディングする第３  ＯＴＴステップと、前記第３  ＯＴＴステップの出力データのうち、１つのチャンネルを２つのチャンネルデータにデコーディングする第４  ＯＴＴステップと、前記第４  ＯＴＴステップの出力データのうち、１つのチャンネルを２つのチャンネルデータにデコーディングする第５  ＯＴＴステップと、を含むことを特徴とする。
【００１８】
前記技術的課題を解決するための本発明によるマルチチャンネルオーディオ信号のデコーディングシステムは、２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータのうち、最初のオーディオチャンネルデータを２つのオーディオチャンネルデータに出力する第１  ＯＴＴデコーダと、前記ビットストリームをデコーディングして、前記２つのオーディオチャンネルデータのうち、２番目のオーディオチャンネルデータを２つのオーディオチャンネルデータに出力する第２  ＯＴＴデコーダと、前記第１  ＯＴＴデコーダでデコーディングされた２つのチャンネルデータのうち、１つを２つのチャンネルデータにデコーディングする第３  ＯＴＴデコーダと、前記第２  ＯＴＴデコーダでデコーディングされた２つのチャンネルデータを第１チャンネルデータ及び第２チャンネルデータとする時、前記第１チャンネルデータを２つのチャンネルデータにデコーディングする第４  ＯＴＴデコーダと、前記第２  ＯＴＴデコーダでデコーディングされた第２チャンネルデータを２つのチャンネルデータにデコーディングする第５  ＯＴＴデコーダと、前記第１  ＯＴＴデコーダの出力データのうち、他の１つのチャンネルを２つのチャンネルデータにデコーディングする第６
ＯＴＴデコーダと、を備えることを特徴とする。
【００１９】
前記技術的課題を解決するための本発明によるマルチチャンネルオーディオ信号のデコーディング方法は、２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータのうち、最初のオーディオチャンネルデータを２つのオーディオチャンネルデータに出力する第１  ＯＴＴステップと、前記ビットストリームをデコーディングして、前記２つのオーディオチャンネルデータのうち、２番目のオーディオチャンネルデータを２つのオーディオチャンネルデータに出力する第２  ＯＴＴステップと、前記第１  ＯＴＴステップでデコーディングされた２つのチャンネルデータのうち、１つを２つのチャンネルデータにデコーディングする第３  ＯＴＴステップと、前記第２  ＯＴＴステップでデコーディングされた２つのチャンネルデータを第１チャンネルデータ及び第２チャンネルデータとする時、前記第１チャンネルデータを２つのチャンネルデータにデコーディングする第４  ＯＴＴステップと、前記第２  ＯＴＴステップでデコーディングされた第２チャンネルデータを２つのチャンネルデータにデコーディングする第５  ＯＴＴステップと、前記第１  ＯＴＴステップの出力データのうち、他の１つのチャンネルを２つのチャンネルデータにデコーディングする第６  ＯＴＴステップと、を含むことを特徴とする。
【００２０】
前記技術的課題を解決するための本発明によるマルチチャンネルオーディオ信号のエンコーディングシステムは、ＬＦ、ＬＳオーディオチャンネル信号を利用して、チャンネル間の大小差及びチャンネル間の類似度情報を含む第１  ＯＴＴパラメータ、及び第１  ＯＴＴオーディオチャンネル（Ｌ’）信号を生成する第１  ＯＴＴエンコーダと、ＲＦ、ＲＳオーディオチャンネル信号を利用して、チャンネル間の大小差及びチャンネル間の類似度情報を含む第２  ＯＴＴパラメータ及び第２  ＯＴＴオーディオチャンネル（Ｒ’）信号を生成する第２  ＯＴＴエンコーダと、Ｃ、ＬＦＥオーディオチャンネル信号を利用して、チャンネル間の大小差及びチャンネル間の類似度情報を含む第３  ＯＴＴパラメータ及び第３  ＯＴＴオーディオチャンネル（Ｃ’）信号を生成する第３  ＯＴＴエンコーダと、前記第１  ＯＴＴエンコーダ、第２  ＯＴＴエンコーダ及び第３  ＯＴＴエンコーダでエンコーディングされたチャンネル（Ｌ’、Ｒ’、Ｃ’）信号を利用して、チャンネル間の大小差及びチャンネル間の類似度情報を含むＴＴＴパラメータ及びＴＴＴオーディオチャンネル信号を生成するＴＴＴエンコーダと、前記ＴＴＴエンコーダでエンコーディングされたチャンネル信号を利用して、チャンネル間の大小差及びチャンネル間の類似度情報を含む第４  ＯＴＴパラメータ及び第４  ＯＴＴオーディオ信号を生成する第４  ＯＴＴエンコーダと、前記第１、第２、第３、第４  ＯＴＴエンコーダ及びＴＴＴエンコーダで生成された各パラメータと前記第４エンコーダでエンコーディングされたオーディオ信号とを圧縮して、ビットストリームとして生成するビットストリーム生成部と、を備えることを特徴とする。
【００２１】
前記技術的課題を解決するための本発明によるマルチチャンネルオーディオ信号のエンコーディングシステムは、ＦＬ、ＦＬＣオーディオチャンネル信号を利用して、チャンネル間の大小差及びチャンネル間の類似度情報を含む第１  ＯＴＴパラメータ及び第１  ＯＴＴオーディオチャンネル（ＦＬ’）信号を生成する第１  ＯＴＴエンコーダと、ＦＲ、ＦＲＣオーディオチャンネル信号を利用して、チャンネル間の大小差及びチャンネル間の類似度情報を含む第２  ＯＴＴパラメータ及び第２  ＯＴＴオーディオチャンネル（ＦＲ’）信号を生成する第２  ＯＴＴエンコーダと、前記第１ＯＦＦエンコーダでエンコーディングされたオーディオチャンネル（ＦＬ’）信号とＢＬオーディオチャンネル信号とを利用して、チャンネル間の大小差及びチャンネル間の類似度情報を含む第３  ＯＴＴパラメータ及び第３  ＯＴＴオーディオチャンネル（Ｌ’）信号を生成する第３  ＯＴＴエンコーダと、前記第２  ＯＴＴエンコーダでエンコーディングされたオーディオチャンネル（ＦＲ’）信号とＢＲオーディオ信号とを利用して、チャンネル間の大小差及びチャンネル間の類似度情報を含む第４  ＯＴＴパラメータ及び第４  ＯＴＴオーディオチャンネル（Ｒ’）信号を生成する第４  ＯＴＴエンコーダと、Ｃオーディオチャンネル信号とＬＦＥオーディオチャンネル信号とを利用して、チャンネル間の大小差及びチャンネル間の類似度情報を含む第５  ＯＴＴパラメータ及び第５  ＯＴＴオーディオチャンネル（Ｃ’）信号を生成する第５  ＯＴＴエンコーダと、前記第３  ＯＴＴエンコーダでエンコーディングされたオーディオチャンネル（Ｌ’）信号と、前記第４  ＯＴＴエンコーダでエンコーディングされたオーディオチャンネル（Ｒ’）信号、及び前記第５エンコーダでエンコーディングされたオーディオチャンネル（Ｃ’）信号を利用して、チャンネル間の大小差及びチャンネル間の類似度情報を含むＴＴＴパラメータ及びＴＴＴオーディオチャンネル信号を生成するＴＴＴエンコーダと、前記第１、第２、第３、第４、第５  ＯＴＴエンコーダ及びＴＴＴエンコーダで生成された各パラメータと前記ＴＴＴエンコーダでエンコーディングされたオーディオ信号とを圧縮して、ビットストリームとして生成するビットストリーム生成部と、を備えることを特徴とする。
【００２２】
前記技術的課題を解決するための本発明によるマルチチャンネルオーディオ信号のエンコーディングシステムは、ＦＬＣ、ＦＲＣオーディオチャンネル信号を利用して、チャンネル間の大小差及びチャンネル間の類似度情報を含む第１  ＯＴＴパラメータ及び第１  ＯＴＴオーディオチャンネル（ＦＣ’）信号を生成する第１  ＯＴＴエンコーダと、前記第１  ＯＴＴエンコーダでエンコーディングされたオーディオチャンネル（ＦＣ’）信号とＣオーディオチャンネル信号とを利用して、チャンネル間の大小差及びチャンネル間の類似度情報を含む第２  ＯＴＴパラメータ及び第２  ＯＴＴオーディオチャンネル（Ｃ”）信号を生成する第２  ＯＴＴエンコーダと、ＦＬオーディオチャンネル信号とＢＬオーディオチャンネル信号とを利用して、チャンネル間の大小差及びチャンネル間の類似度情報を含む第３  ＯＴＴパラメータ及び第３  ＯＴＴオーディオチャンネル（Ｌ’）信号を生成する第３  ＯＴＴエンコーダと、ＦＲオーディオチャンネル信号とＢＲオーディオ信号とを利用して、チャンネル間の大小差及びチャンネル間の類似度情報を含む第４  ＯＴＴパラメータ及び第４  ＯＴＴオーディオチャンネル（Ｒ’）信号を生成する第４  ＯＴＴエンコーダと、前記第２  ＯＴＴエンコーダでエンコーディングされたオーディオチャンネル（Ｃ”）信号とＬＦＥオーディオチャンネル信号とを利用して、チャンネル間の大小差及びチャンネル間の類似度情報を含む第５  ＯＴＴパラメータ及び第５  ＯＴＴオーディオチャンネル（Ｃ’）信号を生成する第５  ＯＴＴエンコーダと、前記第３  ＯＴＴエンコーダでエンコーディングされたオーディオチャンネル（Ｌ’）信号と、前記第４  ＯＴＴエンコーダでエンコーディングされたオーディオチャンネル（Ｒ’）信号、及び前記第５エンコーダでエンコーディングされたオーディオチャンネル（Ｃ’）信号を利用して、チャンネル間の大小差及びチャンネル間の類似度情報を含むＴＴＴパラメータ及びＴＴＴオーディオチャンネル信号を生成するＴＴＴエンコーダと、前記第１、第２、第３、第４、第５  ＯＴＴエンコーダ及びＴＴＴエンコーダで生成された各パラメータと、前記ＴＴＴエンコーダでエンコーディングされたオーディオ信号とを圧縮して、ビットストリームとして生成するビットストリーム生成部と、を備えることを特徴とする。
【００２３】
前記技術的課題を解決するための本発明によるマルチチャンネルオーディオ信号のエンコーディングシステムは、ＦＬＣ、ＦＲＣオーディオチャンネル信号を利用して、チャンネル間の大小差及びチャンネル間の類似度情報を含む第１  ＯＴＴパラメータ及び第１  ＯＴＴオーディオチャンネル（Ｃ’）信号を生成する第１  ＯＴＴエンコーダと、ＦＬ、ＲＬオーディオチャンネル信号を利用して、チャンネル間の大小差及びチャンネル間の類似度情報を含む第２  ＯＴＴパラメータ及び第２  ＯＴＴオーディオチャンネル（Ｌ’）信号を生成する第２  ＯＴＴエンコーダと、ＦＲオーディオチャンネル信号とＢＲオーディオチャンネル信号とを利用して、チャンネル間の大小差及びチャンネル間の類似度情報を含む第３  ＯＴＴパラメータ及び第３  ＯＴＴオーディオチャンネル（Ｒ’）信号を生成する第３  ＯＴＴエンコーダと、Ｃオーディオチャンネル信号とＬＦＥオーディオ信号とを利用して、チャンネル間の大小差及びチャンネル間の類似度情報を含む第４  ＯＴＴパラメータ及び第４  ＯＴＴオーディオチャンネル（Ｃ”）信号を生成する第４  ＯＴＴエンコーダと、前記第２  ＯＴＴエンコーダでエンコーディングされたオーディオチャンネル（Ｌ’）信号と、前記第１  ＯＴＴエンコーダでエンコーディングされたオーディオチャンネル（Ｃ’）信号とを利用して、チャンネル間の大小差及びチャンネル間の類似度情報を含む第５  ＯＴＴパラメータ及び第５  ＯＴＴオーディオチャンネル信号を生成する第５  ＯＴＴエンコーダと、前記第３  ＯＴＴエンコーダでエンコーディングされたオーディオチャンネル（Ｒ’）信号と、前記第４  ＯＴＴエンコーダでエンコーディングされたオーディオチャンネル（Ｃ”）信号とを利用して、チャンネル間の大小差及びチャンネル間の類似度情報を含む第６  ＯＴＴパラメータ及び第６  ＯＴＴオーディオチャンネル信号を生成する第６  ＯＴＴエンコーダと、前記第１、第２、第３、第４、第５、第６  ＯＴＴエンコーダで生成された各パラメータと、前記第５  ＯＴＴエンコーダでエンコーディングされたオーディオ信号、及び第６  ＯＴＴエンコーダでエンコーディングされたオーディオ信号を圧縮して、ビットストリームとして生成するビットストリーム生成部と、を備えることを特徴とする。
【００２４】
前記技術的課題を解決するための本発明によるマルチチャンネルオーディオ信号のエンコーディング方法は、前方左側（ＬＦ）、サラウンド左側（ＬＳ）オーディオチャンネル信号を利用して、チャンネル間の大小差及びチャンネル間の類似度情報を含む第１  ＯＴＴパラメータ及び第１  ＯＴＴオーディオチャンネル（Ｌ’）信号を生成する第１  ＯＴＴステップと、前方右側（ＲＦ）、サラウンド右側（ＲＳ）オーディオチャンネル信号を利用して、チャンネル間の大小差及びチャンネル間の類似度情報を含む第２  ＯＴＴパラメータ及び第２  ＯＴＴオーディオチャンネル（Ｒ’）信号を生成する第２  ＯＴＴステップと、センター（Ｃ）、ウーハー（ＬＦＥ）オーディオチャンネル信号を利用して、チャンネル間の大小差及びチャンネル間の類似度情報を含む第３  ＯＴＴパラメータ及び第３  ＯＴＴオーディオチャンネル（Ｃ’）信号を生成する第３  ＯＴＴステップと、前記第１  ＯＴＴステップ、第２  ＯＴＴステップ及び第３  ＯＴＴステップでエンコーディングされたチャンネル（Ｌ’、Ｒ’、Ｃ’）信号を利用して、チャンネル間の大小差及びチャンネル間の類似度情報を含むＴＴＴパラメータ及びＴＴＴオーディオチャンネル信号を生成するＴＴＴステップと、前記ＴＴＴステップでエンコーディングされたチャンネル信号を利用して、チャンネル間の大小差及びチャンネル間の類似度情報を含む第４  ＯＴＴパラメータ及び第４  ＯＴＴオーディオ信号を生成する第４  ＯＴＴステップと、前記第１、第２、第３、第４  ＯＴＴステップ及び前記ＴＴＴステップで生成された各パラメータと、前記第４  ＯＴＴステップでエンコーディングされたモノオーディオ信号とを圧縮して、ビットストリームとして生成するステップと、を含むことを特徴とする。
【００２５】
前記技術的課題を解決するための本発明によるマルチチャンネルオーディオ信号のエンコーディング方法は、前方左側（ＦＬ）、前方左側センター（ＦＬＣ）オーディオチャンネル信号を利用して、チャンネル間の大小差及びチャンネル間の類似度情報を含む第１  ＯＴＴパラメータ及び第１  ＯＴＴオーディオチャンネル（ＦＬ’）信号を生成する第１  ＯＴＴステップと、前方右側（ＦＲ）、前方右側センター（ＦＲＣ）オーディオチャンネル信号を利用して、チャンネル間の大小差及びチャンネル間の類似度情報を含む第２  ＯＴＴパラメータ及び第２  ＯＴＴオーディオチャンネル（ＦＲ’）信号を生成する第２  ＯＴＴステップと、前記第１  ＯＴＴステップでエンコーディングされたオーディオチャンネル（ＦＬ’）信号と後方左側（ＢＬ）オーディオチャンネル信号とを利用して、チャンネル間の大小差及びチャンネル間の類似度情報を含む第３  ＯＴＴパラメータ及び第３  ＯＴＴオーディオチャンネル（Ｌ’）信号を生成する第３  ＯＴＴステップと、前記第２  ＯＴＴステップでエンコーディングされたオーディオチャンネル（ＦＲ’）信号と後方右側（ＢＲ）オーディオ信号とを利用して、チャンネル間の大小差及びチャンネル間の類似度情報を含む第４  ＯＴＴパラメータ及び第４  ＯＴＴオーディオチャンネル（Ｒ’）信号を生成する第４  ＯＴＴステップと、センター（Ｃ）オーディオチャンネル信号とウーハー（ＬＦＥ）オーディオチャンネル信号とを利用して、チャンネル間の大小差及びチャンネル間の類似度情報を含む第５  ＯＴＴパラメータ及び第５  ＯＴＴオーディオチャンネル（Ｃ’）信号を生成する第５  ＯＴＴステップと、前記第３  ＯＴＴステップでエンコーディングされたオーディオチャンネル（Ｌ’）信号と、前記第４  ＯＴＴステップでエンコーディングされたオーディオチャンネル（Ｒ’）信号、及び前記第５ステップでエンコーディングされたオーディオチャンネル（Ｃ’）信号を利用して、チャンネル間の大小差及びチャンネル間の類似度情報を含むＴＴＴパラメータ及びＴＴＴ（ステレオ）オーディオチャンネル信号を生成するＴＴＴステップと、前記第１、第２、第３、第４、第５  ＯＴＴステップ及びＴＴＴステップで生成された各パラメータと、前記ＴＴＴステップでエンコーディングされたステレオオーディオ信号とを圧縮して、ビットストリームとして生成するステップと、を含むことを特徴とする。
【００２６】
前記技術的課題を解決するための本発明によるマルチチャンネルオーディオ信号のエンコーディング方法は、前方左側センター（ＦＬＣ）、前方右側センター（ＦＲＣ）オーディオチャンネル信号を利用して、チャンネル間の大小差及びチャンネル間の類似度情報を含む第１  ＯＴＴパラメータ及び第１  ＯＴＴオーディオチャンネル（ＦＣ’）信号を生成する第１  ＯＴＴステップと、前記第１  ＯＴＴステップでエンコーディングされたオーディオチャンネル（ＦＣ’）信号とセンター（Ｃ）オーディオチャンネル信号とを利用して、チャンネル間の大小差及びチャンネル間の類似度情報を含む第２  ＯＴＴパラメータ及び第２  ＯＴＴオーディオチャンネル（Ｃ”）信号を生成する第２  ＯＴＴステップと、前方左側（ＦＬ）オーディオチャンネル信号と後方左側（ＢＬ）オーディオチャンネル信号とを利用して、チャンネル間の大小差及びチャンネル間の類似度情報を含む第３  ＯＴＴパラメータ及び第３  ＯＴＴオーディオチャンネル（Ｌ’）信号を生成する第３  ＯＴＴステップと、前方右側（ＦＲ）オーディオチャンネル信号と後方右側（ＢＲ）オーディオ信号とを利用して、チャンネル間の大小差及びチャンネル間の類似度情報を含む第４  ＯＴＴパラメータ及び第４  ＯＴＴオーディオチャンネル（Ｒ’）信号を生成する第４  ＯＴＴステップと、前記第２  ＯＴＴステップでエンコーディングされたオーディオチャンネル（Ｃ”）信号とウーハー（ＬＦＥ）オーディオチャンネル信号とを利用して、チャンネル間の大小差及びチャンネル間の類似度情報を含む第５  ＯＴＴパラメータ及び第５  ＯＴＴオーディオチャンネル（Ｃ’）信号を生成する第５  ＯＴＴステップと、前記第３  ＯＴＴステップでエンコーディングされたオーディオチャンネル（Ｌ’）信号と、前記第４  ＯＴＴステップでエンコーディングされたオーディオチャンネル（Ｒ’）信号、及び前記第５  ＯＴＴステップでエンコーディングされたオーディオチャンネル（Ｃ’）信号を利用して、チャンネル間の大小差及びチャンネル間の類似度情報を含むＴＴＴパラメータ及びＴＴＴ（ステレオ）オーディオチャンネル信号を生成するＴＴＴステップと、前記第１、第２、第３、第４、第５  ＯＴＴステップ及びＴＴＴステップで生成された各パラメータと、前記ＴＴＴステップでエンコーディングされたステレオオーディオ信号とを圧縮して、ビットストリームとして生成するステップと、を含むことを特徴とする。
【００２７】
前記技術的課題を解決するための本発明によるマルチチャンネルオーディオ信号のエンコーディング方法は、前方左側センター（ＦＬＣ）、前方右側センター（ＦＲＣ）オーディオチャンネル信号を利用して、チャンネル間の大小差及びチャンネル間の類似度情報を含む第１  ＯＴＴパラメータ及び第１  ＯＴＴオーディオチャンネル（Ｃ’）信号を生成する第１  ＯＴＴステップと、前方左側（ＦＬ）、後方左側（ＢＬ）オーディオチャンネル信号を利用して、チャンネル間の大小差及びチャンネル間の類似度情報を含む第２  ＯＴＴパラメータ及び第２  ＯＴＴオーディオチャンネル（Ｌ’）信号を生成する第２  ＯＴＴステップと、ＦＲオーディオチャンネル信号と後方右側（ＢＲ）オーディオチャンネル信号とを利用して、チャンネル間の大小差及びチャンネル間の類似度情報を含む第３  ＯＴＴパラメータ及び第３  ＯＴＴオーディオチャンネル（Ｒ’）信号を生成する第３  ＯＴＴステップと、センター（Ｃ）オーディオチャンネル信号とウーハー（ＬＦＥ）オーディオ信号とを利用して、チャンネル間の大小差及びチャンネル間の類似度情報を含む第４  ＯＴＴパラメータ及び第４  ＯＴＴオーディオチャンネル（Ｃ”）信号を生成する第４  ＯＴＴステップと、前記第２  ＯＴＴステップでエンコーディングされたオーディオチャンネル（Ｌ’）信号と、前記第１  ＯＴＴステップでエンコーディングされたオーディオチャンネル（Ｃ’）信号とを利用して、チャンネル間の大小差及びチャンネル間の類似度情報を含む第５  ＯＴＴパラメータ及び第５  ＯＴＴオーディオチャンネル信号を生成する第５  ＯＴＴステップと、前記第３  ＯＴＴステップでエンコーディングされたオーディオチャンネル（Ｒ’）信号と、前記第４  ＯＴＴステップでエンコーディングされたオーディオチャンネル（Ｃ”）信号とを利用して、チャンネル間の大小差及びチャンネル間の類似度情報を含む第６  ＯＴＴパラメータ及び第６  ＯＴＴオーディオチャンネル信号を生成する第６  ＯＴＴステップと、前記第１、第２、第３、第４、第５、第６  ＯＴＴステップで生成された各パラメータと、前記第５  ＯＴＴステップでエンコーディングされたオーディオ信号及び第６  ＯＴＴステップでエンコーディングされたステレオオーディオ信号とを圧縮して、ビットストリームとして生成するステップと、を含むことを特徴とする。
【００２８】
そして、前記で記載の発明を実行させるためのプログラムを記録したコンピュータで読み取り可能な記録媒体を提供する。
【発明の効果】
【００２９】
本発明によるマルチチャンネルオーディオ信号のエンコーディング／デコーディングシステム、記録媒体及び方法によれば、１つの入力ビットストリームでも多様なスピーカー構成に適応的にオーディオチャンネル信号を出力できる。また、入力ビットストリームに対して全体的に完全にデコーディングするものではなく、部分的なデコーディングをすることで、スケーラブルチャンネルデコーディングが可能である。これは、デコーダでデコーディングレベルを設定することによって、前記デコーディングレベルに相応するオーディオチャンネルを出力可能にする。これにより、デコーディングの複雑度を低減できる。
【発明を実施するための最良の形態】
【００３０】
以下、添付した図面を参照して本発明によるマルチチャンネルオーディオ信号のエンコーディング／デコーディングシステム、記録媒体及び方法について詳細に説明する。本発明は、１つの入力ビットストリームでも多様なスピーカー構成に適応的にオーディオチャンネル信号を出力できる。入力ビットストリームに対して全体的に完全にデコーディングするものではなく、部分的なデコーディングをすることでスケーラブルチャンネルデコーディングが可能である。これは、デコーダでデコーディングレベルを設定することによって、前記デコーディングレベルに相応するオーディオチャンネル出力を可能にする。これにより、デコーディングの複雑度を低減できる。
【００３１】
図３は、本発明によるマルチチャンネルオーディオ信号デコーディングシステムの構成を示すブロック図であり、オーディオデコーダ３００及びデコーディングレベル生成部３５０を備えてなる。前記デコーディングレベル生成部３５０は、所定数（Ｎ）のオーディオチャンネル信号と、チャンネル間の大小差及びチャンネル間の類似度情報を含む空間情報とを含んでいるビットストリームに対して、前記ビットストリームを所定数（Ｌ≧Ｎ）のオーディオチャンネル信号にデコーディングして出力させるデコーディングレベル情報を生成する。
【００３２】
前記オーディオデコーダ３００は、前記ビットストリームを前記デコーディングレベルによってデコーディングして、所定数（Ｌ≧Ｎ）のオーディオチャンネル信号を出力する。
【００３３】
図４は、本発明によるマルチチャンネルオーディオ信号デコーディング方法を示すフローチャートである。まず、前記ビットストリームを所定数（Ｌ≧Ｎ）のオーディオチャンネル信号にデコーディングして出力させるデコーディングレベル情報を生成する（４００ステップ）。前記ビットストリームは、ダウンミックスされた信号である。図５は、ダウンミックスされた信号に対して多様なデコーディングレベルを参照してデコーディングするデコーダの構成を示す図である。ｄｌ０、ｄｌ１、ｄｌ２は、デコーディングレベルを表し、前記ｄｌ０は、コアデコーディングレベルを表す。
【００３４】
前記生成されたデコーディングレベルを参照して、前記ビットストリームを前記デコーディングレベルによってデコーディングして、所定数（Ｌ≧Ｎ）のオーディオチャンネル信号を出力する（４５０ステップ）。
【００３５】
図６は、本発明によるマルチチャンネルオーディオ信号デコーディングシステムの第１実施形態についての構成を示すブロック図であり、第１  ＯＴＴデコーダ６００、ＴＴＴデコーダ６１０、第２  ＯＴＴデコーダ６２０、第３  ＯＴＴデコーダ６３０及び第４  ＯＴＴデコーダ６４０を備えてなる。そして、デコーディングレベル生成部６５０をさらに備えることが望ましい。
【００３６】
前記第１  ＯＴＴデコーダ６００は、１つのオーディオチャンネル信号と、チャンネル間の大小差及びチャンネル間の類似度情報を含む空間情報とを含んでいるビットストリームに対して、前記ビットストリームをデコーディングして、前記１つのオーディオチャンネルデータを２つのオーディオチャンネルデータに出力する。前記第１  ＯＴＴデコーダ６００でデコーディングされた２つのチャンネルは、ステレオオーディオチャンネルである。
【００３７】
前記ＴＴＴデコーダ６１０は、前記第１  ＯＴＴデコーダ６００でデコーディングされた２つのオーディオチャンネルデータを、３つのオーディオチャンネルデータにデコーディングする。前記ＴＴＴデコーダ６１０でデコーディングされた３つのチャンネルは、左側（Ｌ’）オーディオチャンネル、右側（Ｒ’）オーディオチャンネル及びセンター（Ｃ’）オーディオチャンネルである。
【００３８】
前記第２  ＯＴＴデコーダ６２０は、前記ＴＴＴデコーダ６１０でデコーディングされた３つのチャンネルデータを第１チャンネルデータ、第２チャンネルデータ及び第３チャンネルデータとする時、前記第１チャンネルデータを２つのチャンネルデータにデコーディングする。前記第２  ＯＴＴデコーダ６２０でデコーディングされた２つのチャンネルは、前方左側（ＬＦ）オーディオチャンネル、サラウンド左側（ＬＳ）オーディオチャンネルである。
【００３９】
前記第３  ＯＴＴデコーダ６３０は、前記第２チャンネルデータを２つのチャンネルデータにデコーディングする。前記第３  ＯＴＴデコーダ６３０でデコーディングされた２つのチャンネルは、前方右側（ＲＦ）オーディオチャンネル、サラウンド右側（ＲＳ）オーディオチャンネルである。
【００４０】
前記第４  ＯＴＴデコーダ６４０は、前記第３チャンネルデータを２つのチャンネルデータにデコーディングする。前記第４  ＯＴＴデコーダ６４０でデコーディングされた２つのチャンネルは、センター（Ｃ）オーディオチャンネル、ウーハー（ＬＦＥ）オーディオチャンネルである。
【００４１】
前記デコーディングレベル生成部６５０は、前記ビットストリームをデコーディングして所定数のオーディオチャンネル信号を出力させるデコーディングレベル情報を生成する。前記デコーディングレベル情報は、第１デコーディングレベル情報ｄｌ０、第２デコーディングレベル情報ｄｌ１、第３デコーディングレベル情報ｄｌ２、第４デコーディングレベル情報ｄｌ３で形成される。前記第１デコーディングレベル情報ｄｌ０は、１つのオーディオチャンネル信号を含んでいるビットストリームをデコーディングして１つのオーディオチャンネル信号を出力させる。前記第２デコーディングレベル情報ｄｌ１は、前記１つのオーディオチャンネル信号を含んでいるビットストリームをデコーディングして２つのオーディオチャンネル信号を出力させる。前記第３デコーディングレベル情報ｄｌ２は、前記２つのオーディオチャンネル信号を含んでいるビットストリームをデコーディングして３つのオーディオチャンネル（Ｌ’、Ｒ’、Ｃ’）信号を出力させる。前記第４デコーディングレベル情報ｄｌ３は、前記３つのオーディオチャンネル信号を含んでいるビットストリームをデコーディングして、５．１オーディオチャンネル（ＬＦ、ＬＳ、ＲＦ、ＲＳ、Ｃ、ＬＦＥ）信号を出力させる。
【００４２】
図７は、本発明によるマルチチャンネルオーディオ信号デコーディング方法の第１実施形態の構成を示すフローチャートである。まず、１つのオーディオチャンネル信号と、チャンネル間の大小差及びチャンネル間の類似度情報を含む空間情報とを含んでいるビットストリームに対して、前記ビットストリームをデコーディングして、前記１つのオーディオチャンネルデータを２つのオーディオチャンネルデータに出力する（７００ステップ）。前記デコーディングされた２つのチャンネルはステレオオーディオチャンネルである。
【００４３】
前記７００ステップでデコーディングされた２つのオーディオチャンネルデータを３つのオーディオチャンネルデータにデコーディングする（７２０ステップ）。前記７２０ステップでデコーディングされた３つのチャンネルは、左側（Ｌ’）オーディオチャンネル、右側（Ｒ’）オーディオチャンネル及びセンター（Ｃ’）オーディオチャンネルである。
【００４４】
前記ＴＴＴステップでデコーディングされた３つのチャンネルデータを第１チャンネルデータ、第２チャンネルデータ及び第３チャンネルデータとする時、前記第１、第２、第３チャンネルデータそれぞれを２つのチャンネルデータにデコーディングして、結局５．１チャンネルデータを出力する（７４０ステップ）。前記７４０ステップで第１チャンネルデータをデコーディングして生成された２つのチャンネルは、前方左側（ＬＦ）オーディオチャンネル、サラウンド左側（ＬＳ）オーディオチャンネルであり、第２チャンネルデータをデコーディングして生成された２つのチャンネルは、前方右側（ＲＦ）オーディオチャンネル、サラウンド右側（ＲＳ）オーディオチャンネルであり、第３チャンネルデータをデコーディングして生成された２つのチャンネルは、センター（Ｃ）オーディオチャンネル、ウーハー（ＬＦＥ）オーディオチャンネルである。
【００４５】
ここで、前記ビットストリームをデコーディングして所定数のオーディオチャンネル信号を出力させるためにはデコーディングレベル情報を利用する。前記デコーディングレベル情報は、１つのオーディオチャンネル信号を含んでいるビットストリームをデコーディングして１つのオーディオチャンネル信号を出力させる第１デコーディングレベル情報、前記２つのオーディオチャンネル信号を含んでいるビットストリームをデコーディングして３つのオーディオチャンネル（Ｌ’、Ｒ’、Ｃ’）信号を出力させる第２デコーディングレベル情報、及び前記３つのオーディオチャンネル信号を含んでいるビットストリームをデコーディングして、５．１オーディオチャンネル（ＬＦ、ＬＳ、ＲＦ、ＲＳ、Ｃ、ＬＦＥ）信号を出力させる第３デコーディングレベル情報を含む。
【００４６】
図８は、本発明によるマルチチャンネルオーディオ信号デコーディングシステムの第２実施形態についての構成を示すブロック図であり、ＴＴＴデコーダ８００、第１  ＯＴＴデコーダ８１０、第２  ＯＴＴデコーダ８２０、第３  ＯＴＴデコーダ８３０、第４  ＯＴＴデコーダ８４０及び第５  ＯＴＴデコーダ８５０を備えてなる。そして、デコーディングレベル生成部８６０をさらに備えることが望ましい。
【００４７】
前記ＴＴＴデコーダ８００は、２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータを３つのオーディオチャンネルデータに出力する。前記ＴＴＴデコーダ８００でデコーディングされた３つのチャンネルは、左側（Ｌ’）オーディオチャンネル、右側（Ｒ’）オーディオチャンネル及びセンター（Ｃ’）オーディオチャンネルである。
【００４８】
前記第１  ＯＴＴデコーダ８１０は、前記ＴＴＴデコーダ８００でデコーディングされた３つのチャンネルデータを第１チャンネルデータ、第２チャンネルデータ及び第３チャンネルデータとする時、前記第１チャンネルデータを２つのチャンネルデータにデコーディングする。前記第１  ＯＴＴデコーダ８１０でデコーディングされた２つのチャンネルは、前方左側（ＦＬ’）オーディオチャンネル、後方左側（ＢＬ）オーディオチャンネルである。
【００４９】
前記第２  ＯＴＴデコーダ８２０は、前記第２チャンネルデータを２つのチャンネルデータにデコーディングする。前記第２  ＯＴＴデコーダ８２０でデコーディングされた２つのチャンネルは、前方右側（ＦＲ’）オーディオチャンネル、後方右側（ＢＲ）オーディオチャンネルである。
【００５０】
前記第３  ＯＴＴデコーダ８３０は、前記第３チャンネルデータを２つのチャンネルデータにデコーディングする。前記第３  ＯＴＴデコーダ８３０でデコーディングされた２つのチャンネルは、センター（Ｃ）オーディオチャンネル、ウーハー（ＬＦＥ）オーディオチャンネルである。
【００５１】
前記第４  ＯＴＴデコーダ８４０は、前記第１  ＯＴＴデコーダ８１０の出力データのうち、１つのチャンネルを２つのチャンネルデータにデコーディングする。前記第４  ＯＴＴデコーダ８４０でデコーディングされた２つのチャンネルは、前方左側（ＦＬ）オーディオチャンネル及び前方左側センター（ＦＬＣ）オーディオチャンネルである。
【００５２】
前記第５  ＯＴＴデコーダ８５０は、前記第２  ＯＴＴデコーダ８２０の出力データのうち、１つのチャンネルを２つのチャンネルデータにデコーディングする。前記第５  ＯＴＴデコーダ８５０でデコーディングされた２つのチャンネルは、前方右側（ＦＲ）オーディオチャンネル及び前方右側センター（ＦＲＣ）オーディオチャンネルである。
【００５３】
前記デコーディングレベル生成部８６０は、前記ビットストリームをデコーディングして所定数のオーディオチャンネル信号を出力させるデコーディングレベル情報を生成する。前記デコーディングレベル情報は、第１デコーディングレベル情報ｄｌ０、第２デコーディングレベル情報ｄｌ１、第３デコーディングレベル情報ｄｌ２、第４デコーディングレベル情報ｄｌ３で形成される。
【００５４】
前記第１デコーディングレベル情報ｄｌ０は、２つのオーディオチャンネル信号を含んでいるビットストリームをデコーディングして２つのオーディオチャンネル信号を出力させる。
【００５５】
前記第２デコーディングレベル情報ｄｌ１は、前記２つのオーディオチャンネル信号をデコーディングして３つのオーディオチャンネル（Ｌ’、Ｒ’、Ｃ’）信号を出力させる。
【００５６】
前記第３デコーディングレベル情報ｄｌ２は、３つのオーディオチャンネル信号を含んでいるビットストリームをデコーディングして、５．１チャンネル（ＦＬ’、ＢＬ、ＦＲ’、ＢＲ、Ｃ、ＬＦＥ）信号を出力させる。
【００５７】
前記第４デコーディングレベル情報ｄｌ３は、前記ＦＬ’チャンネル信号をデコーディングして２つのオーディオチャンネル（ＦＬ、ＦＬＣ）信号を出力させ、前記ＦＲ’チャンネル信号をデコーディングして２つのオーディオチャンネル（ＦＲ、ＦＲＣ）信号を出力させて、結局７．１チャンネルを出力する。
【００５８】
図９は、本発明によるマルチチャンネルオーディオ信号デコーディング方法の第２実施形態の構成を示すフローチャートである。まず、２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータを３つのオーディオチャンネルデータに出力する（９００ステップ）。前記９００ステップでデコーディングされた３つのチャンネルは、左側（Ｌ’）オーディオチャンネル、右側（Ｒ’）オーディオチャンネル及びセンター（Ｃ’）オーディオチャンネルである。
【００５９】
前記９００ステップでデコーディングされた３つのチャンネルデータを、第１チャンネルデータ、第２チャンネルデータ及び第３チャンネルデータとする時、前記第１、第２、第３チャンネルデータそれぞれに対してデコーディングして５．１チャンネルを出力する（９２０ステップ）。前記第９２０ステップで前記第１チャンネルをデコーディングして出力された２つのチャンネルは、前方左側（ＦＬ’）オーディオチャンネル、後方左側（ＢＬ）オーディオチャンネルであり、前記第２チャンネルをデコーディングして出力された２つのチャンネルは、前方右側（ＦＲ’）オーディオチャンネル、後方右側（ＢＲ）オーディオチャンネルであり、前記第３チャンネルをデコーディングして出力された２つのチャンネルは、センター（Ｃ）オーディオチャンネル、ウーハー（ＬＦＥ）オーディオチャンネルである。
【００６０】
前記５．１チャンネルのうち、２つのチャンネルをデコーディングして結果的に７．１チャンネルを出力する（９４０ステップ）。前記９４０ステップで２つのチャンネルをデコーディングして出力されるチャンネルは、前方左側（ＦＬ）オーディオチャンネル、前方左側センター（ＦＬＣ）オーディオチャンネル、前方右側（ＦＲ）オーディオチャンネル及び前方右側センター（ＦＲＣ）オーディオチャンネルである。
【００６１】
前記ビットストリームをデコーディングして所定数のオーディオチャンネル信号を出力する時、デコーダで生成された所定のデコーディングレベル情報を利用して前記デコーディングレベルに相応するオーディオチャンネル信号を出力する。前記デコーディングレベル情報は、２つのオーディオチャンネル信号を含んでいるビットストリームをデコーディングして２つのオーディオチャンネル信号を出力させる第１デコーディングレベル情報ｄｌ０、前記２つのオーディオチャンネル信号をデコーディングして３つのオーディオチャンネル（Ｌ’、Ｒ’、Ｃ’）信号を出力させる第２デコーディングレベル情報ｄｌ１、３つのオーディオチャンネル信号を含んでいるビットストリームをデコーディングして、５．１オーディオチャンネル（ＦＬ’、ＢＬ、ＦＲ’、ＢＲ、Ｃ、ＬＦＥ）信号を出力させる第３デコーディングレベル情報ｄｌ２、及び前記ＦＬ’チャンネル信号をデコーディングして２つのオーディオチャンネル（ＦＬ、ＦＬＣ）信号を出力させ、前記ＦＲ’チャンネル信号をデコーディングして２つのオーディオチャンネル（ＦＲ、ＦＲＣ）信号を出力させて、総７．１チャンネルを出力させる第４デコーディングレベル情報ｄｌ３を含む。
【００６２】
図１０は、本発明によるマルチチャンネルオーディオ信号デコーディングシステムの第３実施形態についての構成を示すブロック図であり、ＴＴＴデコーダ１０００、第１  ＯＴＴデコーダ１０１０、第２  ＯＴＴデコーダ１０２０、第３  ＯＴＴデコーダ１０３０、第４  ＯＴＴデコーダ１０４０及び第５  ＯＴＴデコーダ１０５０を備えてなる。そして、デコーディングレベル生成部１０６０をさらに備えることが望ましい。
【００６３】
前記ＴＴＴデコーダ１０００は、２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータを３つのオーディオチャンネルデータに出力する。前記ＴＴＴデコーダ１０００でデコーディングされた３つのチャンネルは、左側（Ｌ’）オーディオチャンネル、右側（Ｒ’）オーディオチャンネル及びセンター（Ｃ’）オーディオチャンネルである。
【００６４】
前記第１  ＯＴＴデコーダ１０１０は、前記ＴＴＴデコーダ１０００でデコーディングされた３つのチャンネルデータを、第１チャンネルデータ、第２チャンネルデータ及び第３チャンネルデータとする時、前記第１チャンネルデータを２つのチャンネルデータにデコーディングする。前記第１  ＯＴＴデコーダ１０１０でデコーディングされた２つのチャンネルは、前方左側（ＦＬ）オーディオチャンネル、後方左側（ＢＬ）オーディオチャンネルである。
【００６５】
前記第２  ＯＴＴデコーダ１０２０は、前記第２チャンネルデータを２つのチャンネルデータにデコーディングする。前記第２  ＯＴＴデコーダ１０２０でデコーディングされた２つのチャンネルは、前方右側（ＦＲ）オーディオチャンネル、後方右側（ＢＲ）オーディオチャンネルである。
【００６６】
前記第３  ＯＴＴデコーダ１０３０は、前記第３チャンネルデータを２つのチャンネルデータにデコーディングする。前記第３  ＯＴＴデコーダ１０３０でデコーディングされた２つのチャンネルは、センター（Ｃ”）オーディオチャンネル、ウーハー（ＬＦＥ）オーディオチャンネルである。
【００６７】
前記第４  ＯＴＴデコーダ１０４０は、前記第３  ＯＴＴデコーダ１０３０の出力データのうち、１つのチャンネルを２つのチャンネルデータにデコーディングする。前記第４  ＯＴＴデコーダ１０４０でデコーディングされた２つのチャンネルは、前方センター（ＦＣ’）オーディオチャンネル及びセンター（Ｃ）オーディオチャンネルである。
【００６８】
前記第５  ＯＴＴデコーダ１０５０は、前記第４  ＯＴＴデコーダ１０４０の出力データのうち、１つのチャンネルを２つのチャンネルデータにデコーディングする。前記第５  ＯＴＴデコーダ１０５０でデコーディングされた２つのチャンネルは、前方左側センター（ＦＬＣ）オーディオチャンネル及び前方右側センター（ＦＲＣ）オーディオチャンネルである。
【００６９】
前記デコーディングレベル生成部１０６０は、前記ビットストリームをデコーディングして所定数のオーディオチャンネル信号を出力させるデコーディングレベル情報を生成する。前記デコーディングレベル情報は、第１デコーディングレベル情報ｄｌ０、第２デコーディングレベル情報ｄｌ１、第３デコーディングレベル情報ｄｌ２、第４デコーディングレベル情報ｄｌ３で形成される。
【００７０】
前記第１デコーディングレベル情報ｄｌ０は、２つのオーディオチャンネル信号を含んでいるビットストリームをデコーディングして２つのオーディオチャンネル信号を出力させる。前記第２デコーディングレベル情報ｄｌ１は、前記２つのオーディオチャンネル信号をデコーディングして３つのオーディオチャンネル（Ｌ’、Ｒ’、Ｃ’）信号を出力させる。前記第３デコーディングレベル情報ｄｌ２は、３つのオーディオチャンネル信号を含んでいるビットストリームをデコーディングして、５．１オーディオチャンネル（ＦＬ、ＢＬ、ＦＲ、ＢＲ、Ｃ”、ＬＦＥ）信号を出力させる。前記第４デコーディングレベル情報ｄｌ３は、前記ＦＣ’チャンネル信号をデコーディングして２つのオーディオチャンネル（ＦＬＣ、ＦＲＣ）信号を出力させて、結果的に７．１チャンネルを出力させる。
【００７１】
図１１は、本発明によるマルチチャンネルオーディオ信号デコーディング方法の第３実施形態の構成を示すフローチャートである。まず、２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータを３つのオーディオチャンネルデータに出力する（１１００ステップ）。前記１１００ステップでデコーディングされた３つのチャンネルは、左側（Ｌ’）オーディオチャンネル、右側（Ｒ’）オーディオチャンネル及びセンター（Ｃ’）オーディオチャンネルである。
【００７２】
前記１１００ステップでデコーディングされた３つのチャンネルデータを、第１チャンネルデータ、第２チャンネルデータ及び第３チャンネルデータとする時、前記第１、第２、第３チャンネルデータをそれぞれ２つのチャンネルデータにデコーディングして５．１チャンネルデータを出力する（１１２０ステップ）。前記１１２０ステップで第１チャンネルをデコーディングした２つのチャンネルは、前方左側（ＦＬ）オーディオチャンネル、後方左側（ＢＬ）オーディオチャンネルで、第２チャンネルをデコーディングした２つのチャンネルは、前方右側（ＦＲ）オーディオチャンネル、後方右側（ＢＲ）オーディオチャンネルであり、第３チャンネルをデコーディングした２つのチャンネルは、センター（Ｃ”）オーディオチャンネル、ウーハー（ＬＦＥ）オーディオチャンネルである。
【００７３】
前記１１２０ステップの出力データのうち、１つのチャンネルを２つのチャンネルデータにデコーディングする（１１４０ステップ）。前記第１１４０ステップでデコーディングされた２つのチャンネルは、前方センター（ＦＣ’）オーディオチャンネル及びセンター（Ｃ）オーディオチャンネルである。
【００７４】
次いで、前記１１４０ステップの出力データのうち、１つのチャンネルを２つのチャンネルデータにデコーディングして、結果的に７．１チャンネルデータを出力する（１１６０ステップ）。前記１１６０ステップでデコーディングされた２つのチャンネルは、前方左側センター（ＦＬＣ）オーディオチャンネル及び前方右側センター（ＦＲＣ）オーディオチャンネルである。
【００７５】
前記ビットストリームをデコーディングして所定数のオーディオチャンネル信号を出力する時、デコーダで生成された所定のデコーディングレベル情報を利用して前記デコーディングレベルに相応するオーディオチャンネル信号を出力する。前記デコーディングレベル情報は、２つのオーディオチャンネル信号を含んでいるビットストリームをデコーディングして２つのオーディオチャンネル信号を出力させる第１デコーディングレベル情報ｄｌ０と、前記２つのオーディオチャンネル信号をデコーディングして３つのオーディオチャンネル（Ｌ’、Ｒ’、Ｃ’）信号を出力させる第２デコーディングレベル情報ｄｌ１と、３つのオーディオチャンネル信号を含んでいるビットストリームをデコーディングして、５．１オーディオチャンネル（ＦＬ、ＢＬ、ＦＲ、ＢＲ、Ｃ”、ＬＦＥ）信号を出力させる第３デコーディングレベル情報ｄｌ２、及び前記ＦＣ’チャンネル信号をデコーディングして２つのオーディオチャンネル（ＦＬＣ、ＦＲＣ）信号を出力させて、結果的に７．１チャンネルを出力させる第４デコーディングレベル情報ｄｌ３を含む。
【００７６】
図１２は、本発明によるマルチチャンネルオーディオ信号デコーディングシステムの第３実施形態についての構成を示すブロック図であり、第１  ＯＴＴデコーダ１２００、第２  ＯＴＴデコーダ１２１０、第３  ＯＴＴデコーダ１２２０、第４  ＯＴＴコーダ１２３０、第５  ＯＴＴデコーダ１２４０及び第６  ＯＴＴデコーダ１２５０を備えてされる。そして、デコーディングレベル生成部１２６０をさらに備えることが望ましい。
【００７７】
前記第１  ＯＴＴデコーダ１２００は、２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータのうち、最初のオーディオチャンネルデータを２つのオーディオチャンネルデータに出力する。前記第１  ＯＴＴデコーダ１２００でデコーディングされた２つのチャンネルは、左側（Ｌ’）オーディオチャンネル、センター（Ｃ’）オーディオチャンネルである。
【００７８】
前記第２  ＯＴＴデコーダ１２１０は、前記ビットストリームをデコーディングして、前記２つのオーディオチャンネルデータのうち、２番目のオーディオチャンネルデータを２つのオーディオチャンネルデータに出力する。前記第２  ＯＴＴデコーダ１２１０でデコーディングされた２つのチャンネルは、右側（Ｒ’）オーディオチャンネル、センター（Ｃ”）オーディオチャンネルである。
【００７９】
前記第３  ＯＴＴデコーダ１２２０は、前記第１  ＯＴＴデコーダ１２００でデコーディングされた２つのチャンネルデータのうち、１つを２つのチャンネルデータにデコーディングする。前記第３  ＯＴＴデコーダ１２２０でデコーディングされた２つのチャンネルは、前方左側（ＦＬ）オーディオチャンネル、後方左側（ＢＬ）オーディオチャンネルである。
【００８０】
前記第４  ＯＴＴデコーダ１２３０は、前記第２  ＯＴＴデコーダ１２１０でデコーディングされた２つのチャンネルデータを第１チャンネルデータ及び第２チャンネルデータとする時、前記第１チャンネルデータを２つのチャンネルデータにデコーディングする。前記第４  ＯＴＴデコーダ１２３０でデコーディングされた２つのチャンネルは、前方右側（ＦＲ）オーディオチャンネル及び後方右側（ＢＲ）オーディオチャンネルである。
【００８１】
前記第５  ＯＴＴデコーダ１２４０は、前記第２  ＯＴＴデコーダ２１１０でデコーディングされた第２チャンネルデータを２つのチャンネルデータにデコーディングする。前記第５  ＯＴＴデコーダ１２４０でデコーディングされた２つのチャンネルは、センター（Ｃ）オーディオチャンネル及びウーハー（ＬＦＥ）オーディオチャンネルである。
【００８２】
前記第６  ＯＴＴデコーダ１２５０は、前記第１  ＯＴＴデコーダ１２００の出力データのうち、他の１つのチャンネルを２つのチャンネルデータにデコーディングする。前記第６  ＯＴＴデコーダ１２５０でデコーディングされた２つのチャンネルは、前方左側センター（ＦＬＣ）オーディオチャンネル及び前方右側センター（ＦＲＣ）オーディオチャンネルである。
【００８３】
前記デコーディングレベル生成部１２６０は、前記ビットストリームをデコーディングして所定数のオーディオチャンネル信号を出力させるデコーディングレベル情報を生成する。前記デコーディングレベル情報は、第１デコーディングレベル情報ｄｌ０、第２デコーディングレベル情報ｄｌ１、第３デコーディングレベル情報ｄｌ２、第４デコーディングレベル情報ｄｌ３で形成される。
【００８４】
前記第１デコーディングレベル情報ｄｌ０は、２つのオーディオチャンネル信号を含んでいるビットストリームをデコーディングして２つのオーディオチャンネル信号を出力させる情報である。
【００８５】
前記第２デコーディングレベル情報ｄｌ１は、前記２つのオーディオチャンネル信号をデコーディングして４つのオーディオチャンネル（Ｌ’、Ｃ’、Ｒ’、Ｃ”）信号を出力させる。
【００８６】
前記第３デコーディングレベル情報ｄｌ２は、前記Ｌ’オーディオチャンネル信号をデコーディングして２つのオーディオチャンネル（ＦＬ、ＢＬ）信号を出力させ、前記Ｒ’オーディオチャンネル信号をデコーディングして２つのオーディオチャンネル（ＦＲ、ＢＲ）信号を出力させ、前記Ｃ”オーディオチャンネル信号をデコーディングして２つのオーディオチャンネル（Ｃ、ＬＦＥ）信号を出力させる。
【００８７】
前記第４デコーディングレベル情報ｄｌ３は、前記Ｃ”チャンネル信号をデコーディングして２つのオーディオチャンネル（ＦＬＣ、ＦＲＣ）信号を出力させる。
【００８８】
図１３は、本発明によるマルチチャンネルオーディオ信号デコーディング方法の第４実施形態の構成を示すフローチャートである。まず、２つのオーディオチャンネル信号と、チャンネル間の大小差及びチャンネル間の類似度情報を含む空間情報とを含んでいるビットストリームに対して、前記ビットストリームをデコーディングして、前記２つのオーディオチャンネルデータのうち、最初のオーディオチャンネルデータを２つのオーディオチャンネル（Ｌ’、Ｃ’）データに出力する（１３００ステップ）。ここで、Ｌ’は左側、Ｃ’はセンターオーディオチャンネルである。同様に、前記ビットストリームをデコーディングして、前記２つのオーディオチャンネルデータのうち、２番目のオーディオチャンネルデータを２つのオーディオチャンネル（Ｒ’、Ｃ”）データに出力する（１３００ステップ）。ここで、Ｒ’は右側、Ｃ”はセンターオーディオチャンネルである。
【００８９】
前記第１３００ステップでデコーディングされたＬ’チャンネルデータを、２つのチャンネル（ＦＬ、ＢＬ）データにデコーディングする（１３２０ステップ）。ここで、ＦＬは前方左側、ＢＬは後方左側オーディオチャンネルである。
【００９０】
前記第１３００ステップでデコーディングされたＲ’チャンネルデータを、第１チャンネル（Ｒ’）データ及び第２チャンネル（Ｃ”）データとする時、前記第１チャンネル（Ｒ’）データを２つのチャンネル（ＦＲ、ＢＲ）データにデコーディングする（１３４０ステップ）。ここで、ＦＲは前方右側、ＢＲは後方右側オーディオチャンネルである。前記１３００ステップでデコーディングされた第２チャンネル（Ｃ”）データを２つのチャンネル（Ｃ、ＬＦＥ）データにデコーディングする（１３６０ステップ）。ここで、Ｃはセンター、ＬＦＥはウーハーオーディオチャンネルである。前記１３００ステップの出力データのうち、他の１つのチャンネル（Ｃ’）を２つのチャンネル（ＦＬＣ、ＦＲＣ）データにデコーディングする（１３８０ステップ）。ここで、ＦＬＣは前方左側センター、ＦＲＣは前方右側センターオーディオチャンネルである。
【００９１】
前記ビットストリームをデコーディングして所定数のオーディオチャンネル信号を出力する時、デコーダで生成された所定のデコーディングレベル情報を利用して、前記デコーディングレベルに相応するオーディオチャンネル信号を出力する。前記デコーディングレベル情報は、２つのオーディオチャンネル信号を含んでいるビットストリームをデコーディングして２つのオーディオチャンネル信号を出力させる第１デコーディングレベル情報ｄｌ０、前記２つのオーディオチャンネル信号をデコーディングして４つのオーディオチャンネル（Ｌ’、Ｃ’、Ｒ’、Ｃ”）信号を出力させる第２デコーディングレベル情報ｄｌ１、前記Ｌ’オーディオチャンネル信号をデコーディングして２つのオーディオチャンネル（ＦＬ、ＢＬ）信号を出力させ、前記Ｒ’オーディオチャンネル信号をデコーディングして２つのオーディオチャンネル（ＦＲ、ＢＲ）信号を出力させ、前記Ｃ”オーディオチャンネル信号をデコーディングして２つのオーディオチャンネル（Ｃ、ＬＦＥ）信号を出力させる第３デコーディングレベル情報ｄｌ２、及び前記Ｃ”チャンネル信号をデコーディングして２つのオーディオチャンネル（ＦＬＣ、ＦＲＣ）信号を出力させる第４デコーディングレベル情報ｄｌ３を含む。
【００９２】
また前記第１実施形態ないし第４実施形態で、中間出力（ｉｎｔｅｒｍｅｄｉａｔｅ  ｏｕｔｐｕｔｓ）のために、ＴＰ（Ｔｉｍｅ  ｄｏｍａｉｎ  ｔｅｍｐｅｒａｌ  ｓｈａｐｉｎｇ）とＴＥＳ（Ｔｅｍｐｅｒａｌ  ｅｎｖｅｌｏｐｅ  ｓｈａｐｉｎｇ）とが使われうる。デコーディングレベルはまた、ツリー深さ（ｔｒｅｅ  ｄｅｐｔｈ）より大きい。例えば、５チャンネルでコーディングされたＭＰＥＧサラウンドは、ツリー構造を持つ７個のスピーカープレイバックのためにデコーディングされうる。
【００９３】
一方、本発明によるマルチチャンネルオーディオ信号エンコーディングシステム及び方法を説明する。図１４は、本発明によるマルチチャンネルオーディオ信号エンコーディングシステムの第１実施形態の構成を示すブロック図であり、第１  ＯＴＴエンコーダ１４００、第２  ＯＴＴエンコーダ１４１０、第３  ＯＴＴエンコーダ１４２０、ＴＴＴエンコーダ１４３０、第４  ＯＴＴエンコーダ１４４０、ビットストリーム生成部１４５０を備えてなる。
【００９４】
前記第１  ＯＴＴエンコーダ１４００は、前方左側（ＬＦ）、サラウンド左側（ＬＳ）オーディオチャンネル信号を利用して、チャンネル間の大小差及びチャンネル間の類似度情報を含む第１  ＯＴＴパラメータ及び第１  ＯＴＴオーディオチャンネル（Ｌ’）信号を生成する。前記第２  ＯＴＴエンコーダ１４１０は、前方右側（ＲＦ）、サラウンド右側（ＲＳ）オーディオチャンネル信号を利用して、チャンネル間の大小差及びチャンネル間の類似度情報を含む第２  ＯＴＴパラメータ及び第２  ＯＴＴオーディオチャンネル（Ｒ’）信号を生成する。
【００９５】
前記第３  ＯＴＴエンコーダ１４２０は、中央（Ｃ）、ウーハー（ＬＦＥ）オーディオチャンネル信号を利用して、チャンネル間の大小差及びチャンネル間の類似度情報を含む第３  ＯＴＴパラメータ及び第３  ＯＴＴオーディオチャンネル（Ｃ’）信号を生成する。前記ＴＴＴエンコーダ１４３０は、前記第１  ＯＴＴエンコーダ１４００、第２  ＯＴＴエンコーダ１４１０及び第３  ＯＴＴエンコーダ１４２０でエンコーディングされたチャンネル（Ｌ’、Ｒ’、Ｃ’）信号を利用して、チャンネル間の大小差及びチャンネル間の類似度情報を含むＴＴＴパラメータ及びＴＴＴオーディオチャンネル信号を生成する。
【００９６】
前記第４  ＯＴＴエンコーダ１４４０は、前記ＴＴＴエンコーダでエンコーディングされたチャンネル信号を利用して、チャンネル間の大小差及びチャンネル間の類似度情報を含む第４  ＯＴＴパラメータ及び第４  ＯＴＴオーディオ信号を生成する。前記ビットストリーム生成部１４５０は、前記第１、第２、第３、第４  ＯＴＴエンコーダ１４００、１４１０、１４２０、１４３０及びＴＴＴエンコーダで生成された各パラメータと、前記第４  ＯＴＴエンコーダ１４４０でエンコーディングされたオーディオ信号とを圧縮してビットストリームとして生成する。
【００９７】
図１５は、本発明によるマルチチャンネルオーディオ信号エンコーディング方法の第１実施形態を示すフローチャートである。まず、前方左側（ＬＦ）、サラウンド左側（ＬＳ）オーディオチャンネル信号を利用して、チャンネル間の大小差及びチャンネル間の類似度情報を含む第１  ＯＴＴパラメータ及び第１  ＯＴＴオーディオチャンネル（Ｌ’）信号を生成する（１５００ステップ）。
【００９８】
前方右側（ＲＦ）、サラウンド右側（ＲＳ）オーディオチャンネル信号を利用して、チャンネル間の大小差及びチャンネル間の類似度情報を含む第２  ＯＴＴパラメータ及び第２  ＯＴＴオーディオチャンネル（Ｒ’）信号を生成する（１５１０ステップ）。
【００９９】
センター（Ｃ）、ウーハー（ＬＦＥ）オーディオチャンネル信号を利用して、チャンネル間の大小差及びチャンネル間の類似度情報を含む第３  ＯＴＴパラメータ及び第３  ＯＴＴオーディオチャンネル（Ｃ’）信号を生成する（１５２０ステップ）。
【０１００】
前記１５００ステップ、１５１０ステップ及び第１５２０ステップでエンコーディングされたチャンネル（Ｌ’、Ｒ’、Ｃ’）信号を利用して、チャンネル間の大小差及びチャンネル間の類似度情報を含むＴＴＴパラメータ及びＴＴＴ（ステレオ）オーディオチャンネル信号を生成する（１５３０ステップ）。
【０１０１】
前記１５３０ステップでエンコーディングされたチャンネル信号を利用して、チャンネル間の大小差及びチャンネル間の類似度情報を含む第４  ＯＴＴパラメータ及び第４  ＯＴＴ（モノ）オーディオ信号を生成する（１５４０ステップ）。
【０１０２】
前記１５００、１５１０、１５２０、１５３０、１５４０ステップで生成された各パラメータと前記モノチャンネルオーディオ信号とを圧縮して、ビットストリームとして生成する（１５５０ステップ）。
【０１０３】
図１６は、本発明によるマルチチャンネルオーディオ信号エンコーディングシステムの第２実施形態の構成を示すブロック図であり、第１  ＯＴＴエンコーダ１６００、第２  ＯＴＴエンコーダ１６１０、第３  ＯＴＴエンコーダ１６２０、第４  ＯＴＴエンコーダ１６３０、第５  ＯＴＴエンコーダ１６４０、ＴＴＴエンコーダ１６５０、ビットストリーム生成部１６６０を備えてなる。
【０１０４】
前記第１  ＯＴＴエンコーダ１６００は、前方左側（ＦＬ）、前方左側センター（ＦＬＣ）オーディオチャンネル信号を利用して、チャンネル間の大小差及びチャンネル間の類似度情報を含む第１  ＯＴＴパラメータ及び第１  ＯＴＴオーディオチャンネル（ＦＬ’）信号を生成する。前記第２  ＯＴＴエンコーダ１６１０は、前方右側（ＦＲ）、前方右側センター（ＦＲＣ）オーディオチャンネル信号を利用して、チャンネル間の大小差及びチャンネル間の類似度情報を含む第２  ＯＴＴパラメータ及び第２  ＯＴＴオーディオチャンネル（ＦＲ’）信号を生成する。前記第３  ＯＴＴエンコーダ１６２０は、前記第１ＯＦＦエンコーダ１６００でエンコーディングされたオーディオチャンネル（ＦＬ’）信号と後方左側（ＢＬ）オーディオチャンネル信号とを利用して、チャンネル間の大小差及びチャンネル間の類似度情報を含む第３  ＯＴＴパラメータ及び第３  ＯＴＴオーディオチャンネル（Ｌ’）信号を生成する。
【０１０５】
前記第４  ＯＴＴエンコーダ１６３０は、前記第２  ＯＴＴエンコーダ１６１０でエンコーディングされたオーディオチャンネル（ＦＲ’）信号とＢＲオーディオ信号とを利用して、チャンネル間の大小差及びチャンネル間の類似度情報を含む第４  ＯＴＴパラメータ及び第４  ＯＴＴオーディオチャンネル（Ｒ’）信号を生成する。前記第５  ＯＴＴエンコーダ１６４０は、センター（Ｃ）オーディオチャンネル信号とウーハー（ＬＦＥ）オーディオチャンネル信号とを利用して、チャンネル間の大小差及びチャンネル間の類似度情報を含む第５  ＯＴＴパラメータ及び第５  ＯＴＴオーディオチャンネル（Ｃ’）信号を生成する。
【０１０６】
前記ＴＴＴエンコーダ１６５０は、前記第３  ＯＴＴエンコーダ１６２０でエンコーディングされたオーディオチャンネル（Ｌ’）信号と、前記第４  ＯＴＴエンコーダでエンコーディングされたオーディオチャンネル（Ｒ’）信号、及び前記第５  ＯＴＴエンコーダ１６４０でエンコーディングされたオーディオチャンネル（Ｃ’）信号を利用して、チャンネル間の大小差及びチャンネル間の類似度情報を含むＴＴＴパラメータ及びＴＴＴオーディオチャンネル信号を生成する。
【０１０７】
前記ビットストリーム生成部１６６０は、前記第１、第２、第３、第４、第５  ＯＴＴエンコーダ１６００、１６１０、１６２０、１６３０、１６４０及びＴＴＴエンコーダ１６５０で生成された各パラメータと前記ＴＴＴエンコーダ１６５０でエンコーディングされたオーディオ信号とを圧縮して、ビットストリームとして生成する。
【０１０８】
図１７は、本発明によるマルチチャンネルオーディオ信号エンコーディング方法の第２実施形態を示すフローチャートである。まず、前方左側（ＦＬ）、前方左側センター（ＦＬＣ）オーディオチャンネル信号を利用して、チャンネル間の大小差及びチャンネル間の類似度情報を含む第１  ＯＴＴパラメータ及び第１  ＯＴＴオーディオチャンネル（ＦＬ’）信号を生成する（１７００ステップ）。前方右側（ＦＲ）、前方右側センター（ＦＲＣ）オーディオチャンネル信号を利用して、チャンネル間の大小差及びチャンネル間の類似度情報を含む第２  ＯＴＴパラメータ及び第２  ＯＴＴオーディオチャンネル（ＦＲ’）信号を生成する（１７１０ステップ）。
【０１０９】
前記１７００ステップでエンコーディングされたオーディオチャンネル（ＦＬ’）信号と後方左側（ＢＬ）オーディオチャンネル信号とを利用して、チャンネル間の大小差及びチャンネル間の類似度情報を含む第３  ＯＴＴパラメータ及び第３  ＯＴＴオーディオチャンネル（Ｌ’）信号を生成する（１７２０ステップ）。前記１７１０ステップでエンコーディングされたオーディオチャンネル（ＦＲ’）信号と後方右側（ＢＲ）オーディオ信号とを利用して、チャンネル間の大小差及びチャンネル間の類似度情報を含む第４  ＯＴＴパラメータ及び第４  ＯＴＴオーディオチャンネル（Ｒ’）信号を生成する（１７３０ステップ）。
【０１１０】
センター（Ｃ）オーディオチャンネル信号とウーハー（ＬＦＥ）オーディオチャンネル信号とを利用して、チャンネル間の大小差及びチャンネル間の類似度情報を含む第５  ＯＴＴパラメータ及び第５  ＯＴＴオーディオチャンネル（Ｃ’）信号を生成する（１７４０ステップ）。前記１７２０ステップでエンコーディングされたオーディオチャンネル（Ｌ’）信号と、前記１７３０ステップでエンコーディングされたオーディオチャンネル（Ｒ’）信号、及び前記１７４０ステップでエンコーディングされたオーディオチャンネル（Ｃ’）信号を利用して、チャンネル間の大小差及びチャンネル間の類似度情報を含むＴＴＴパラメータ及びＴＴＴ（ステレオ）オーディオチャンネル信号を生成する（１７５０ステップ）。前記１７００、１７１０、１７２０、１７３０、１７４０ステップ及び１７５０ステップで生成された各パラメータと、前記１７５０ステップでエンコーディングされたステレオオーディオ信号とを圧縮して、ビットストリームとして生成する（１７６０ステップ）。
【０１１１】
図１８は、本発明によるマルチチャンネルオーディオ信号エンコーディングシステムの第３実施形態の構成を示すブロック図であり、第１  ＯＴＴエンコーダ１８００、第２  ＯＴＴエンコーダ１８１０、第３  ＯＴＴエンコーダ１８２０、第４  ＯＴＴエンコーダ１８３０、第５  ＯＴＴエンコーダ１８４０、ＴＴＴエンコーダ１８５０、ビットストリーム生成部１８６０を備えてなる。
【０１１２】
前記第１  ＯＴＴエンコーダ１８００は、前方左側センター（ＦＬＣ）、前方右側センター（ＦＲＣ）オーディオチャンネル信号を利用して、チャンネル間の大小差及びチャンネル間の類似度情報を含む第１  ＯＴＴパラメータ及び第１  ＯＴＴオーディオチャンネル（ＦＣ’）信号を生成する。前記第２  ＯＴＴエンコーダ１８１０は、前記第１  ＯＴＴエンコーダ１８００でエンコーディングされたオーディオチャンネル（ＦＣ’）信号とセンター（Ｃ）オーディオチャンネル信号とを利用して、チャンネル間の大小差及びチャンネル間の類似度情報を含む第２  ＯＴＴパラメータ及び第２  ＯＴＴオーディオチャンネル（Ｃ”）信号を生成する。
【０１１３】
前記第３  ＯＴＴエンコーダ１８２０は、前方左側（ＦＬ）オーディオチャンネル信号と後方左側（ＢＬ）オーディオチャンネル信号とを利用して、チャンネル間の大小差及びチャンネル間の類似度情報を含む第３  ＯＴＴパラメータ及び第３  ＯＴＴオーディオチャンネル（Ｌ’）信号を生成する。前記第４  ＯＴＴエンコーダ１８３０は、ＦＲオーディオチャンネル信号と後方右側（ＢＲ）オーディオ信号とを利用して、チャンネル間の大小差及びチャンネル間の類似度情報を含む第４  ＯＴＴパラメタ及び第４  ＯＴＴオーディオチャンネル（Ｒ’）信号を生成する。前記第５  ＯＴＴエンコーダ１８４０は、前記第２  ＯＴＴエンコーダ１８１０でエンコーディングされたオーディオチャンネル（Ｃ”）信号とウーハー（ＬＦＥ）オーディオチャンネル信号とを利用して、チャンネル間の大小差及びチャンネル間の類似度情報を含む第５  ＯＴＴパラメータ及び第５  ＯＴＴオーディオチャンネル（Ｃ’）信号を生成する。
【０１１４】
前記ＴＴＴエンコーダ１８５０は、前記第３  ＯＴＴエンコーダ１８２０でエンコーディングされたオーディオチャンネル（Ｌ’）信号と、前記第４  ＯＴＴエンコーダ１８３０でエンコーディングされたオーディオチャンネル（Ｒ’）信号、及び前記第５エンコーダ１８４０でエンコーディングされたオーディオチャンネル（Ｃ’）信号を利用して、チャンネル間の大小差及びチャンネル間の類似度情報を含むＴＴＴパラメータ及びＴＴＴオーディオチャンネル信号を生成する。前記ビットストリーム生成部１８６０は、前記第１、第２、第３、第４、第５  ＯＴＴエンコーダ１８００、１８１０、１８２０、１８３０、１８４０及びＴＴＴエンコーダ１８５０で生成された各パラメータと、前記ＴＴＴエンコーダ１８５０でエンコーディングされたオーディオ信号とを圧縮して、ビットストリームとして生成する。
【０１１５】
図１９は、本発明によるマルチチャンネルオーディオ信号エンコーディング方法の第３実施形態を示すフローチャートである。まず、前方左側センター（ＦＬＣ）、前方右側センター（ＦＲＣ）オーディオチャンネル信号を利用して、チャンネル間の大小差及びチャンネル間の類似度情報を含む第１  ＯＴＴパラメータ及び第１  ＯＴＴオーディオチャンネル（ＦＣ’）信号を生成する（１９００ステップ）。前記１９００ステップでエンコーディングされたオーディオチャンネル（ＦＣ’）信号とセンター（Ｃ）オーディオチャンネル信号とを利用して、チャンネル間の大小差及びチャンネル間の類似度情報を含む第２  ＯＴＴパラメータ及び第２  ＯＴＴオーディオチャンネル（Ｃ”）信号を生成する（１９１０ステップ）。前方左側（ＦＬ）オーディオチャンネル信号とＢＬオーディオチャンネル信号とを利用して、チャンネル間の大小差及びチャンネル間の類似度情報を含む第３  ＯＴＴパラメータ及び第３  ＯＴＴオーディオチャンネル（Ｌ’）信号を生成する（１９２０ステップ）。
【０１１６】
前方右側（ＦＲ）オーディオチャンネル信号と後方右側（ＢＲ）オーディオ信号とを利用して、チャンネル間の大小差及びチャンネル間の類似度情報を含む第４  ＯＴＴパラメータ及び第４  ＯＴＴオーディオチャンネル（Ｒ’）信号を生成する（１９３０ステップ）。前記１９１０ステップでエンコーディングされたオーディオチャンネル（Ｃ”）信号とウーハー（ＬＦＥ）オーディオチャンネル信号とを利用して、チャンネル間の大小差及びチャンネル間の類似度情報を含む第５  ＯＴＴパラメータ及び第５  ＯＴＴオーディオチャンネル（Ｃ’）信号を生成する（１９４０ステップ）。前記１９２０ステップでエンコーディングされたオーディオチャンネル（Ｌ’）信号と、前記１９３０ステップでエンコーディングされたオーディオチャンネル（Ｒ’）信号、及び前記１９４０ステップでエンコーディングされたオーディオチャンネル（Ｃ’）信号を利用して、チャンネル間の大小差及びチャンネル間の類似度情報を含むＴＴＴパラメータ及びＴＴＴ（ステレオ）オーディオチャンネル信号を生成する（１９５０ステップ）。前記１９００、１９１０、１９２０、１９３０、１９４０、１９５０ステップで生成された各パラメータと、前記１９５０ステップでエンコーディングされたステレオオーディオ信号とを圧縮して、ビットストリームとして生成する（１９６０ステップ）。
【０１１７】
図２０は、本発明によるマルチチャンネルオーディオ信号エンコーディングシステムの第４実施形態の構成を示すブロック図であり、第１  ＯＴＴエンコーダ２０００、第２  ＯＴＴエンコーダ２０１０、第３  ＯＴＴエンコーダ２０２０、第４  ＯＴＴエンコーダ２０３０、第５  ＯＴＴエンコーダ２０４０、第６  ＯＴＴエンコーダ２０５０、ビットストリーム生成部２０６０を備えてなる。
【０１１８】
前記第１  ＯＴＴエンコーダ２０００は、前方左側センター（ＦＬＣ）、前方右側センター（ＦＲＣ）オーディオチャンネル信号を利用して、チャンネル間の大小差及びチャンネル間の類似度情報を含む第１  ＯＴＴパラメータ及び第１  ＯＴＴオーディオチャンネル（Ｃ’）信号を生成する。前記第２  ＯＴＴエンコーダ２０１０は、前方左側（ＦＬ）、後方左側（ＲＬ）オーディオチャンネル信号を利用して、チャンネル間の大小差及びチャンネル間の類似度情報を含む第２  ＯＴＴパラメータ及び第２  ＯＴＴオーディオチャンネル（Ｌ’）信号を生成する。前記第３  ＯＴＴエンコーダ２０２０は、前記オーディオチャンネル信号とＢＲオーディオチャンネル信号とを利用して、チャンネル間の大小差及びチャンネル間の類似度情報を含む第３  ＯＴＴパラメータ及び第３  ＯＴＴオーディオチャンネル（Ｒ’）信号を生成する。
【０１１９】
前記第４  ＯＴＴエンコーダ２０３０は、センター（Ｃ）オーディオチャンネル信号とウーハー（ＬＦＥ）オーディオ信号とを利用して、チャンネル間の大小差及びチャンネル間の類似度情報を含む第４  ＯＴＴパラメータ及び第４  ＯＴＴオーディオチャンネル（Ｃ”）信号を生成する。前記第５  ＯＴＴエンコーダ２０４０は、前記第２  ＯＴＴエンコーダ２０１０でエンコーディングされたオーディオチャンネル（Ｌ’）信号と、前記第１  ＯＴＴエンコーダでエンコーディングされたオーディオチャンネル（Ｃ’）信号とを利用して、チャンネル間の大小差及びチャンネル間の類似度情報を含む第５  ＯＴＴパラメータ及び第５  ＯＴＴオーディオチャンネル信号を生成する。前記第６  ＯＴＴエンコーダ２０５０は、前記第３  ＯＴＴエンコーダ２０２０でエンコーディングされたオーディオチャンネル（Ｒ’）信号と、前記第４  ＯＴＴエンコーダでエンコーディングされたオーディオチャンネル（Ｃ”）信号とを利用して、チャンネル間の大小差及びチャンネル間の類似度情報を含む第６  ＯＴＴパラメータ及び第６  ＯＴＴオーディオチャンネル信号を生成する。
【０１２０】
前記ビットストリーム生成部２０６０は、前記第１、第２、第３、第４、第５、第６  ＯＴＴエンコーダ２０００、２０１０、２０２０、２０３０、２０４０、２０５０で生成された各パラメータと、前記第５  ＯＴＴエンコーダ２０４０でエンコーディングされたオーディオ信号及び第６  ＯＴＴエンコーダ２０５０でエンコーディングされたオーディオ信号とを圧縮して、ビットストリームとして生成する。
【０１２１】
図２１は、本発明によるマルチチャンネルオーディオ信号エンコーディング方法の第４実施形態を示すフローチャートである。まず、前方左側センター（ＦＬＣ）、前方右側センター（ＦＲＣ）オーディオチャンネル信号を利用して、チャンネル間の大小差及びチャンネル間の類似度情報を含む第１  ＯＴＴパラメータ及び第１  ＯＴＴオーディオチャンネル（Ｃ’）信号を生成する（２１００ステップ）。前方左側（ＦＬ）、後方左側（ＢＬ）オーディオチャンネル信号を利用して、チャンネル間の大小差及びチャンネル間の類似度情報を含む第２  ＯＴＴパラメータ及び第２  ＯＴＴオーディオチャンネル（Ｌ’）信号を生成する（２１１０ステップ）。前方右側（ＦＲ）オーディオチャンネル信号と後方右側（ＢＲ）オーディオチャンネル信号とを利用して、チャンネル間の大小差及びチャンネル間の類似度情報を含む第３  ＯＴＴパラメータ及び第３  ＯＴＴオーディオチャンネル（Ｒ’）信号を生成する（２１２０ステップ）。センター（Ｃ）オーディオチャンネル信号とウーハー（ＬＦＥ）オーディオ信号とを利用して、チャンネル間の大小差及びチャンネル間の類似度情報を含む第４  ＯＴＴパラメータ及び第４  ＯＴＴオーディオチャンネル（Ｃ”）信号を生成する（２１３０ステップ）。
【０１２２】
前記２１１０ステップでエンコーディングされたオーディオチャンネル（Ｌ’）信号と、前記第１  ＯＴＴステップでエンコーディングされたオーディオチャンネル（Ｃ’）信号とを利用して、チャンネル間の大小差及びチャンネル間の類似度情報を含む第５  ＯＴＴパラメータ及び第５  ＯＴＴオーディオチャンネル信号を生成する（２１４０ステップ）。前記２１２０ステップでエンコーディングされたオーディオチャンネル（Ｒ’）信号と、前記２１３０ステップでエンコーディングされたオーディオチャンネル（Ｃ”）信号とを利用して、チャンネル間の大小差及びチャンネル間の類似度情報を含む第６  ＯＴＴパラメータ及び第６  ＯＴＴオーディオチャンネル信号を生成する（２１５０ステップ）。前記２１００、２１１０、２１２０、２１３０、２１４０ステップで生成された各パラメータと、前記２１４０ステップでエンコーディングされたオーディオ信号及び２１５０ステップでエンコーディングされたステレオオーディオ信号とを圧縮して、ビットストリームとして生成する（２１６０ステップ）。
【０１２３】
さらに、本発明の実施形態は、コンピュータ可読媒体のような媒体でコンピュータで読み取り可能なコード／命令を通じて具現されうる。かかる媒体は、コンピュータ可読媒体の記録及び／または伝送を許容する媒体である。
【０１２４】
コンピュータ可読コードは、磁性記録媒体（例えば、ＲＯＭ、フロッピー（登録商標）ディスク）、光学記録媒体（例えば、ＣＤ−ＲＯＭまたはＤＶＤ）、キャリアウェーブ及びインターネットのような記録／伝送媒体を含む媒体のような態様な方式で媒体に記録／伝送されうる。ここで、本発明の実施形態によって、媒体は、結果として発生する信号またはビットストリームのような信号でありうる。媒体は、コンピュータ可読コードを記録／伝送させ、分散された方式で実施させる分散されたネットワークでありうる。また、単に例として、処理構成要素はプロセッサーまたはコンピュータプロセッサーを含み、単数のデバイスに分散されるか、または含まれうる。
【０１２５】
前述した内容に追加してシステムの観点から実施形態が記述されたが、対応する実施形態が装置でも同一に実施されうる。
【０１２６】
いくつかの本発明の実施形態が開示及び記述されたが、請求項とそれと等しいもので定義された発明の原理及び思想を逸脱せず、当業者によりかかる実施形態を変形して実施できる。
【図面の簡単な説明】
【０１２７】
【図１】ＭＰＥＧサラウンドデコーダの概観を示す図ある。
【図２】入力オーディオチャンネル信号をエンコーディングするエンコーディングブロックと、前記エンコーディングされたオーディオチャンネル信号をデコーディングするデコーディングブロックと、を示す図である。
【図３】本発明によるマルチチャンネルオーディオ信号デコーディングシステムの構成を示すブロック図である。
【図４】本発明によるマルチチャンネルオーディオ信号デコーディング方法を示すフローチャートである。
【図５】ダウンミックスされた信号に対して多様なデコーディングレベルを参照してデコーディングするデコーダの構成を示す図である。
【図６】本発明によるマルチチャンネルオーディオ信号デコーディングシステムの第１実施形態の構成を示すブロック図である。
【図７】本発明によるマルチチャンネルオーディオ信号デコーディング方法の第１実施形態の構成を示すフローチャートである。
【図８】本発明によるマルチチャンネルオーディオ信号デコーディングシステムの第２実施形態の構成を示すブロック図である。
【図９】本発明によるマルチチャンネルオーディオ信号デコーディング方法の第２実施形態の構成を示すフローチャートである。
【図１０】本発明によるマルチチャンネルオーディオ信号デコーディングシステムの第３実施形態の構成を示すブロック図である。
【図１１】本発明によるマルチチャンネルオーディオ信号デコーディング方法の第３実施形態の構成を示すフローチャートである。
【図１２】本発明によるマルチチャンネルオーディオ信号デコーディングシステムの第３実施形態の構成を示すブロック図である。
【図１３】本発明によるマルチチャンネルオーディオ信号デコーディング方法の第４実施形態の構成を示すフローチャートである。
【図１４】本発明によるマルチチャンネルオーディオ信号エンコーディングシステムの第１実施形態の構成を示すブロック図である。
【図１５】本発明によるマルチチャンネルオーディオ信号エンコーディング方法の第１実施形態を示すフローチャートである。
【図１６】本発明によるマルチチャンネルオーディオ信号エンコーディングシステムの第２実施形態の構成を示すブロック図である。
【図１７】本発明によるマルチチャンネルオーディオ信号エンコーディング方法の第２実施形態を示すフローチャートである。
【図１８】本発明によるマルチチャンネルオーディオ信号エンコーディングシステムの第３実施形態の構成を示すブロック図である。
【図１９】本発明によるマルチチャンネルオーディオ信号エンコーディング方法の第３実施形態を示すフローチャートである。
【図２０】本発明によるマルチチャンネルオーディオ信号エンコーディングシステムの第４実施形態の構成を示すブロック図である。
【図２１】本発明によるマルチチャンネルオーディオ信号エンコーディング方法の第４実施形態を示すフローチャートである。
【図１】
2009516861.tif 000003
【図２】
2009516861.tif 000004
【図３】
2009516861.tif 000005
【図４】
2009516861.tif 000006
【図５】
2009516861.tif 000007
【図６】
2009516861.tif 000008
【図７】
2009516861.tif 000009
【図８】
2009516861.tif 000010
【図９】
2009516861.tif 000011
【図１０】
2009516861.tif 000012
【図１１】
2009516861.tif 000013
【図１２】
2009516861.tif 000014
【図１３】
2009516861.tif 000015
【図１４】
2009516861.tif 000016
【図１５】
2009516861.tif 000017
【図１６】
2009516861.tif 000018
【図１７】
2009516861.tif 000019
【図１８】
2009516861.tif 000020
【図１９】
2009516861.tif 000021
【図２０】
2009516861.tif 000022
【図２１】
2009516861.tif 000023
【国際調査報告】
2009516861.tif 000024
2009516861.tif 000025